(57)【特許請求の範囲】
【請求項１】
ワイヤレス通信の方法であって、
一時的な時分割複信（ＴＤＤ）帯域への周波数分割複信（ＦＤＤ）アップリンク帯域の変更を示す再構成メッセージを受信することと、
ＦＤＤダウンリンク帯域と前記一時的なＴＤＤ帯域とを含むＦＤＤ帯域のペアのための基準構成を決定することと、前記基準構成が、ＦＤＤ帯域の前記ペアに関連するサブフレームのパターンを示す、
ＦＤＤ帯域の前記ペアが、少なくとも１つの第２の帯域とアグリゲートされないと決定することと、
ＦＤＤ帯域の前記ペアが少なくとも第２の帯域とアグリゲートされないと前記決定することに基づいて別個のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間でソフトチャネルビットの総数を等しく分割することによって前記ＦＤＤダウンリンク帯域と前記一時的なＴＤＤ帯域との各々にソフトバッファを割り振ることと、および
前記基準構成に基づいて前記ＦＤＤダウンリンク帯域と前記一時的なＴＤＤ帯域との各々のためのＨＡＲＱプロセスの最大数を決定することと、ここにおいて、ＨＡＲＱプロセスの前記最大数が、各別個のセルにおけるソフトバッファ管理のために使用される、
を備える、方法。
【請求項２】
ワイヤレス通信の方法であって、
一時的な時分割複信（ＴＤＤ）帯域への周波数分割複信（ＦＤＤ）アップリンク帯域の変更を示す再構成メッセージを受信することと、
ＦＤＤダウンリンク帯域と前記一時的なＴＤＤ帯域とを含むＦＤＤ帯域のペアのための基準構成を決定することと、前記基準構成が、ＦＤＤ帯域の前記ペアに関連するサブフレームのパターンを示す、
ＦＤＤ帯域の前記ペアが、少なくとも１つの第２の帯域とアグリゲートされると決定することと、
ＦＤＤ帯域の前記ペアが前記少なくとも１つの第２の帯域とアグリゲートされると決定したことに応答して単一のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間で共有されるようにソフトバッファを割り振ることと、および
前記基準構成に基づいて前記ＦＤＤダウンリンク帯域と前記一時的なＴＤＤ帯域との前記単一のセルのためのＨＡＲＱプロセスの最大数を決定することと、ここにおいて、ＨＡＲＱプロセスの前記最大数が、ソフトバッファ管理のために使用される、
を備える、方法。
【請求項３】
同時にではないが前記ＦＤＤダウンリンク帯域または前記一時的なＴＤＤ帯域のいずれかの上でダウンリンク送信を受信すること
をさらに備える、請求項２に記載の方法。
【請求項４】
物理ダウンリンク制御チャネル（ＰＤＣＣＨ）を受信するために使用される帯域と前記ＰＤＣＣＨを受信するために使用される探索空間とに基づいて前記一時的なＴＤＤ帯域のアップリンクサブフレームのための物理アップリンク制御チャネル（ＰＵＣＣＨ）リソースマッピングと、ＨＡＲＱタイミングと、ダウンリンク制御情報（ＤＣＩ）フォーマットとを決定すること
をさらに備える、請求項１または２の何れかに記載の方法。
【請求項５】
前記決定することが、共通探索空間中に前記ＦＤＤダウンリンク帯域上で受信される前記ＰＤＣＣＨに応答してＦＤＤフォーマットに基づいて前記ＰＵＣＣＨリソースマッピングと、前記ＨＡＲＱタイミングと、前記ＤＣＩフォーマットとを決定することを備える、請求項４に記載の方法。
【請求項６】
前記決定することが、前記一時的なＴＤＤ帯域上でまたはユーザ機器（ＵＥ）固有の探索空間中で受信される前記ＰＤＣＣＨに応答して前記基準構成に適用可能なＴＤＤフォーマットに基づいて前記ＰＵＣＣＨリソースマッピングと、前記ＨＡＲＱタイミングと、前記ダウンリンク制御情報（ＤＣＩ）フォーマットとを決定することを備える、請求項４に記載の方法。
【請求項７】
物理ダウンリンク制御チャネル（ＰＤＣＣＨ）を受信するために使用されるダウンリンクサブフレームと前記基準構成とに基づいて前記一時的なＴＤＤ帯域のアップリンク（ＵＬ）サブフレームのためのＰＵＣＣＨリソースマッピングと、ＨＡＲＱタイミングと、ＤＣＩフォーマットとを決定すること
をさらに備える、請求項１または２の何れかに記載の方法。
【請求項８】
前記ダウンリンクサブフレームが、前記基準構成に基づいて前記ＵＬサブフレームの前に固定数のサブフレーム、サブフレームインデックスを有し、ＦＤＤフォーマッティングが、前記ＤＣＩフォーマットと、前記ＨＡＲＱタイミングと、前記ＰＵＣＣＨリソースマッピングとのために使用される、請求項７に記載の方法。
【請求項９】
前記ダウンリンクサブフレームが、前記基準構成に基づいて前記ＵＬサブフレームの前に固定数のサブフレーム、サブフレームインデックスを有さず、ＴＤＤフォーマッティングが、前記ＤＣＩフォーマットと、前記ＨＡＲＱタイミングと、前記ＰＵＣＣＨリソースマッピングとのために使用される、請求項７に記載の方法。
【請求項１０】
ＴＤＤ報告フォーマットに基づいて前記一時的なＴＤＤ帯域の特殊サブフレーム（special sub-frame）中でアップリンクサウンディング基準信号（ＳＲＳ）を送信すること、ここにおいて、ＳＲＳ送信のための電力制御とアップリンクタイミングアドバンス制御とがＦＤＤフォーマットに基づく、
をさらに備える、請求項１または２の何れかに記載の方法。
【請求項１１】
ワイヤレス通信のための装置であって、
ダウンリンクチャネルのサブフレームを受信するように構成されたトランシーバと、
メモリと、および
少なくとも１つのバスを介して前記トランシーバおよび前記メモリに通信可能に結合され、
一時的な時分割複信（ＴＤＤ）帯域への周波数分割複信（ＦＤＤ）アップリンク帯域の変更を示す再構成メッセージを受信することと、
ＦＤＤダウンリンク帯域と前記一時的なＴＤＤ帯域とを含むＦＤＤ帯域のペアのための基準構成を決定することと、前記基準構成が、ＦＤＤ帯域の前記ペアに関連するサブフレームのパターンを示す、
ＦＤＤ帯域の前記ペアが、少なくとも１つの第２の帯域とアグリゲートされないと決定することと、
ＦＤＤ帯域の前記ペアが少なくとも第２の帯域とアグリゲートされないと前記決定することに基づいて別個のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間でソフトチャネルビットの総数を等しく分割することによって前記ＦＤＤダウンリンク帯域と前記一時的なＴＤＤ帯域との各々にソフトバッファを割り振ることと、および
前記基準構成に基づいて前記ＦＤＤダウンリンク帯域と前記一時的なＴＤＤ帯域との各々のためのＨＡＲＱプロセスの最大数を決定することと、ここにおいて、ＨＡＲＱプロセスの前記最大数が、各別個のセルにおけるソフトバッファ管理のために使用される、
を行うように構成された少なくとも１つのプロセッサと
を備える、装置。
【請求項１２】
ワイヤレス通信のための装置であって、
ダウンリンクチャネルのサブフレームを受信するように構成されたトランシーバと、
メモリと、および
少なくとも１つのバスを介して前記トランシーバおよび前記メモリに通信可能に結合され、
一時的な時分割複信（ＴＤＤ）帯域への周波数分割複信（ＦＤＤ）アップリンク帯域の変更を示す再構成メッセージを受信することと、
ＦＤＤダウンリンク帯域と前記一時的なＴＤＤ帯域とを含むＦＤＤ帯域のペアのための基準構成を決定することと、前記基準構成が、ＦＤＤ帯域の前記ペアに関連するサブフレームのパターンを示す、
ＦＤＤ帯域の前記ペアが、少なくとも１つの第２の帯域とアグリゲートされると決定することと、
ＦＤＤ帯域の前記ペアが前記少なくとも１つの第２の帯域とアグリゲートされると決定したことに応答して単一のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間で共有されるようにソフトバッファを割り振ることと、および
前記基準構成に基づいて前記ＦＤＤダウンリンク帯域と前記一時的なＴＤＤ帯域との前記単一のセルのためのＨＡＲＱプロセスの最大数を決定することと、ここにおいて、ＨＡＲＱプロセスの前記最大数が、ソフトバッファ管理のために使用される、
を行うように構成された少なくとも１つのプロセッサと
を備える、装置。
【請求項１３】
前記少なくとも１つのプロセッサが、
物理ダウンリンク制御チャネル（ＰＤＣＣＨ）を受信するために使用される帯域と前記ＰＤＣＣＨを受信するために使用される探索空間とに基づいて前記一時的なＴＤＤ帯域のアップリンクサブフレームのための物理アップリンク制御チャネル（ＰＵＣＣＨ）リソースマッピングと、ＨＡＲＱタイミングと、ダウンリンク制御情報（ＤＣＩ）フォーマットとを決定すること
を行うように構成された、請求項１１、または１２の何れかに記載の装置。
【請求項１４】
前記少なくとも１つのプロセッサが、
ＴＤＤ報告フォーマットに基づいて前記一時的なＴＤＤ帯域の特殊サブフレーム中でアップリンクサウンディング基準信号（ＳＲＳ）を送信すること、ここにおいて、ＳＲＳ送信のための電力制御とアップリンクタイミングアドバンス制御とがＦＤＤフォーマットに基づく、
を行うように構成された、請求項１１、または１２の何れかに記載の装置。
【請求項１５】
ワイヤレス通信のための装置であって、
一時的な時分割複信（ＴＤＤ）帯域への周波数分割複信（ＦＤＤ）アップリンク帯域の変更を示す再構成メッセージを受信するための手段と、
ＦＤＤダウンリンク帯域と前記一時的なＴＤＤ帯域とを含むＦＤＤ帯域のペアのための基準構成を決定するための手段と、前記基準構成が、ＦＤＤ帯域の前記ペアに関連するサブフレームのパターンを示す、
ＦＤＤ帯域の前記ペアが、少なくとも１つの第２の帯域とアグリゲートされないと決定するための手段と、
ＦＤＤ帯域の前記ペアが少なくとも第２の帯域とアグリゲートされないと前記決定することに基づいて別個のセルに関連付けられているものとして前記ＦＤＤダウンリンク帯域と前記一時的なＴＤＤ帯域とを識別するための手段と、
前記ＦＤＤダウンリンク帯域と前記一時的なＴＤＤ帯域との間でソフトチャネルビットの総数を等しく分割することによって前記ＦＤＤダウンリンク帯域と前記一時的なＴＤＤ帯域との各々にソフトバッファを割り振るための手段と、および
前記基準構成に基づいて前記ＦＤＤダウンリンク帯域と前記一時的なＴＤＤ帯域との各々のためのＨＡＲＱプロセスの最大数を決定するための手段と、ここにおいて、ＨＡＲＱプロセスの前記最大数が、各別個のセルにおけるソフトバッファ管理のために使用される、
を備える、装置。
【請求項１６】
ワイヤレス通信のための装置であって、
一時的な時分割複信（ＴＤＤ）帯域への周波数分割複信（ＦＤＤ）アップリンク帯域の変更を示す再構成メッセージを受信するための手段と、
ＦＤＤダウンリンク帯域と前記一時的なＴＤＤ帯域とを含むＦＤＤ帯域のペアのための基準構成を決定するための手段と、前記基準構成が、ＦＤＤ帯域の前記ペアに関連するサブフレームのパターンを示す、
ＦＤＤ帯域の前記ペアが、少なくとも１つの第２の帯域とアグリゲートされると決定するための手段と、
ＦＤＤ帯域の前記ペアが前記少なくとも１つの第２の帯域とアグリゲートされると決定したことに応答して単一のセルに関連付けられているものとして前記ＦＤＤダウンリンク帯域と前記一時的なＴＤＤ帯域とを識別するための手段と、
前記ＦＤＤダウンリンク帯域と前記一時的なＴＤＤ帯域との間で共有されるようにソフトバッファを割り振るための手段と、および
前記基準構成に基づいて前記ＦＤＤダウンリンク帯域と前記一時的なＴＤＤ帯域との前記単一のセルのためのＨＡＲＱプロセスの最大数を決定するための手段と、ここにおいて、ＨＡＲＱプロセスの前記最大数が、ソフトバッファ管理のために使用される、
を備える、装置。
【請求項１７】
ワイヤレス通信のためのコンピュータ実行可能コードを記憶するコンピュータ可読記憶媒体であって、
一時的な時分割複信（ＴＤＤ）帯域への周波数分割複信（ＦＤＤ）アップリンク帯域の変更を示す再構成メッセージを受信するためのコードと、
ＦＤＤダウンリンク帯域と前記一時的なＴＤＤ帯域とを含むＦＤＤ帯域のペアのための基準構成を決定するためのコードと、前記基準構成が、ＦＤＤ帯域の前記ペアに関連するサブフレームのパターンを示す、
ＦＤＤ帯域の前記ペアが、少なくとも１つの第２の帯域とアグリゲートされないと決定するためのコードと、
ＦＤＤ帯域の前記ペアが少なくとも第２の帯域とアグリゲートされないと前記決定することに基づいて別個のセルに関連付けられているものとして前記ＦＤＤダウンリンク帯域と前記一時的なＴＤＤ帯域とを識別するためのコードと、
前記ＦＤＤダウンリンク帯域と前記一時的なＴＤＤ帯域との間でソフトチャネルビットの総数を等しく分割することによって前記ＦＤＤダウンリンク帯域と前記一時的なＴＤＤ帯域との各々にソフトバッファを割り振るためのコードと、および
前記基準構成に基づいて前記ＦＤＤダウンリンク帯域と前記一時的なＴＤＤ帯域との各々のためのＨＡＲＱプロセスの最大数を決定するためのコードと、ここにおいて、ＨＡＲＱプロセスの前記最大数が、各別個のセルにおけるソフトバッファ管理のために使用される、
を備える、コンピュータ可読記憶媒体。
【請求項１８】
ワイヤレス通信のためのコンピュータ実行可能コードを記憶するコンピュータ可読記憶媒体であって、
一時的な時分割複信（ＴＤＤ）帯域への周波数分割複信（ＦＤＤ）アップリンク帯域の変更を示す再構成メッセージを受信するためのコードと、
ＦＤＤダウンリンク帯域と前記一時的なＴＤＤ帯域とを含むＦＤＤ帯域のペアのための基準構成を決定するためのコードと、前記基準構成が、ＦＤＤ帯域の前記ペアに関連するサブフレームのパターンを示す、
ＦＤＤ帯域の前記ペアが、少なくとも１つの第２の帯域とアグリゲートされると決定するためのコードと、
ＦＤＤ帯域の前記ペアが前記少なくとも１つの第２の帯域とアグリゲートされると決定したことに応答して単一のセルに関連付けられているものとして前記ＦＤＤダウンリンク帯域と前記一時的なＴＤＤ帯域とを識別するためのコードと、
前記ＦＤＤダウンリンク帯域と前記一時的なＴＤＤ帯域との間で共有されるようにソフトバッファを割り振るためのコードと、および
前記基準構成に基づいて前記ＦＤＤダウンリンク帯域と前記一時的なＴＤＤ帯域との前記単一のセルのためのＨＡＲＱプロセスの最大数を決定するためのコードと、ここにおいて、ＨＡＲＱプロセスの前記最大数が、ソフトバッファ管理のために使用される、
を備える、コンピュータ可読記憶媒体。
【発明の詳細な説明】
【関連出願】
【０００１】
[0001]本出願は、「ＴＥＣＨＮＩＱＵＥＳ  ＦＯＲ  ＦＬＥＸＩＢＬＥ  ＤＵＰＬＥＸＩＮＧ」と題する、２０１６年８月６日に出願されたＰＣＴ出願第ＰＣＴ／ＣＮ２０１５／０８６２１４号の優先権を主張し、その全体が参照により本明細書に組み込まれる。
【背景技術】
【０００２】
技術分野
[0002]本開示は、一般に、通信システムに関し、より詳細には、ワイヤレス通信システムにおいてフレキシブルな複信を与えるための技法に関する。
【０００３】
関連技術の説明
[0003]ワイヤレス通信システムは、電話、ビデオ、データ、メッセージング、およびブロードキャストなど、様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ＬＴＥおよび他のセルラー技術は、フレキシブルな二重（duplex）またはフレキシブルな複信（duplexing）と一般に呼ばれる、複信技法が適用される方法の柔軟性を許容し得る。この柔軟性により、より大きいダウンリンクトラフィック需要に適応するために利用可能であるダウンリンク帯域幅の量の増加が可能になり得る。しかしながら、フレキシブルな複信の使用は、タイミング特性に関するあいまいさを生じ、再送信動作を含む様々な通信動作に関する問題を生じ得る。したがって、より効果的なフレキシブルな複信機構が必要である。
【発明の概要】
【０００６】
[0006]本開示は、たとえば、一般に、ワイヤレス通信システムに関し、より詳細には、フレキシブルな複信のための技法に関する。たとえば、フレキシブルな複信のための技法は、アップリンク帯域が時分割複信（ＴＤＤ）を使用するように一時的に再構成されるとき、ペアにされた周波数分割複信（ＦＤＤ）帯域（たとえば、アップリンク帯域およびそれぞれのダウンリンク帯域）のための特性を決定する基準構成を与える。ＵＥは、ＨＡＲＱタイミングを決定し、アップリンク送信をスケジュールし、ソフトバッファを管理し、シグナリングフォーマットを決定するために、基準構成を使用し得る。
【０００７】
[0007]一態様では、本開示は、ワイヤレス通信の方法を提供する。本方法は、一時的なＴＤＤ帯域へのＦＤＤアップリンク帯域の変更を示す再構成メッセージを受信することを含み得る。本方法は、ＦＤＤダウンリンク帯域と一時的なＴＤＤ帯域とを含むＦＤＤ帯域のペアのための基準構成を決定すること、基準構成は、ＦＤＤ帯域のペアに関連するサブフレームのパターンを示す、をさらに含み得る。
【０００８】
[0008]本方法は、基準構成に基づいてＦＤＤダウンリンク帯域のためのハイブリッド自動再送要求（ＨＡＲＱ）タイミングを決定することと、ＨＡＲＱタイミングに基づいてＦＤＤダウンリンク帯域上で受信された送信に応答して一時的なＴＤＤ帯域上で肯定応答ステータス信号を送信することとを行うことを随意に含み得る、ここにおいて、肯定応答ステータス信号は、肯定応答（ＡＣＫ）信号または否定応答（ＮＡＣＫ）である。ＨＡＲＱタイミングを決定することは、基準構成に基づいて肯定応答ステータス信号を送信すべき一時的なＴＤＤ帯域のアップリンクサブフレームを決定することを含み得る。ＦＤＤ帯域のペアは、アグリゲート（aggregated）され得、ＦＤＤダウンリンク帯域は、１次セルに関連付けられ得る。
【０００９】
[0009]メイの方法はまた、一時的なＴＤＤ帯域のダウンリンクサブフレーム上で許可を受信することと、許可は、一時的なＴＤＤ帯域上にアップリンク送信をスケジュールする、ＦＤＤアップリンクＨＡＲＱタイミングに基づいてアップリンク送信のためのアップリンクサブフレームを決定することとを随意に含む。
【００１０】
[0010]メイの方法はまた、一時的なＴＤＤ帯域のダウンリンクサブフレーム上で許可を受信することと、許可は、一時的なＴＤＤ帯域上にアップリンク送信をスケジュールする、基準構成に基づいてアップリンク送信のためのアップリンクサブフレームを決定することとを随意に含む。本方法はまた、許可中に含まれる３ビットのＨＡＲＱプロセス番号に基づいてアップリンク送信のためのアップリンクＨＡＲＱプロセス番号を決定することを随意に含み得る。
【００１１】
[0011]メイの方法はまた、ＦＤＤ帯域のペアが、少なくとも１つの第２の帯域とアグリゲートされないと決定することと、ＦＤＤ帯域のペアが少なくとも第２の帯域とアグリゲートされないと決定することに基づいて別個のセルに関連付けられているものとしてＦＤＤダウンリンク帯域と一時的なＴＤＤ帯域とを識別することと、ＦＤＤダウンリンク帯域と一時的なＴＤＤ帯域との間でソフトチャネルビットの総数を等しく分割することによってＦＤＤダウンリンク帯域と一時的なＴＤＤ帯域との各々にソフトバッファを割り振ることと、基準構成に基づいてＦＤＤダウンリンク帯域と一時的なＴＤＤ帯域との各々のためのＨＡＲＱプロセスの最大数を決定することと、ここにおいて、ＨＡＲＱプロセスの最大数は、各別個のセルにおけるソフトバッファ管理のために使用される、を随意に含む。
【００１２】
[0012]メイの方法はまた、ＦＤＤ帯域のペアが、少なくとも１つの第２の帯域とアグリゲートされると決定することと、ＦＤＤ帯域のペアが少なくとも１つの第２の帯域とアグリゲートされると決定したことに応答して単一のセルに関連付けられているものとしてＦＤＤダウンリンク帯域と一時的なＴＤＤ帯域とを識別することと、ＦＤＤダウンリンク帯域と一時的なＴＤＤ帯域との間で共有されるようにソフトバッファを割り振ることと、基準構成に基づいてＦＤＤダウンリンク帯域と一時的なＴＤＤ帯域との単一のセルのためのＨＡＲＱプロセスの最大数を決定することと、ここにおいて、ＨＡＲＱプロセスの最大数は、ソフトバッファ管理のために使用される、を随意に含む。本方法は、同時にではないがＦＤＤダウンリンク帯域または一時的なＴＤＤ帯域のいずれかの上でダウンリンク送信を受信することをさらに含み得る。
【００１３】
[0013]本方法はまた、物理ダウンリンク制御チャネル（ＰＤＣＣＨ）を受信するために使用される帯域とＰＤＣＣＨを受信するために使用される探索空間とに基づいて一時的なＴＤＤ帯域のアップリンクサブフレームのための物理アップリンク制御チャネル（ＰＵＣＣＨ）リソースマッピングと、ＨＡＲＱタイミングと、ダウンリンク制御情報（ＤＣＩ）フォーマットとを決定することを随意に含み得る。決定することは、共通探索空間中にＦＤＤダウンリンク帯域上で受信されるＰＤＣＣＨに応答してＦＤＤフォーマットに基づいてＰＵＣＣＨリソースマッピングと、ＨＡＲＱタイミングと、ダウンリンク制御情報（ＤＣＩ）フォーマットとを決定することを含み得る。代替的に、決定することは、一時的なＴＤＤ帯域上でまたはユーザ機器（ＵＥ）固有の探索空間中で受信されるＰＤＣＣＨに応答して基準構成に適用可能なＴＤＤフォーマットに基づいてＰＵＣＣＨリソースマッピングと、ＨＡＲＱタイミングと、ダウンリンク制御情報（ＤＣＩ）フォーマットとを決定することを含み得る。
【００１４】
[0014]本方法はまた、物理ダウンリンク制御チャネル（ＰＤＣＣＨ）を受信するために使用されるダウンリンクサブフレームと基準構成とに基づいて一時的なＴＤＤ帯域のアップリンクサブフレームのためのＰＵＣＣＨリソースマッピングと、ＨＡＲＱタイミングと、ＤＣＩフォーマットとを決定することを随意に含み得る。ダウンリンクサブフレームは、基準構成に基づいてＵＬサブフレームの前に固定数のサブフレーム、サブフレームインデックスを有し得、ＦＤＤフォーマッティングが、ＤＣＩフォーマットと、ＨＡＲＱタイミングと、ＰＵＣＣＨリソースマッピングとのために使用され得る。代替的に、ダウンリンクサブフレームは、基準構成に基づいてＵＬサブフレームの前に固定数のサブフレーム、サブフレームインデックスを有しないことがあり、ＴＤＤフォーマッティングが、ＤＣＩフォーマットと、ＨＡＲＱタイミングと、ＰＵＣＣＨリソースマッピングとのために使用され得る。
【００１５】
[0015]本方法はまた、ＴＤＤ報告フォーマットに基づいて一時的なＴＤＤ帯域の特殊（special）サブフレーム中でアップリンクサウンディング基準信号（ＳＲＳ）を送信することを随意に含み得、ここにおいて、ＳＲＳ送信のための電力制御とアップリンクタイミングアドバンス制御とはＦＤＤフォーマットに基づく。
【００１６】
[0016]本方法は、ＦＤＤダウンリンク帯域が１次セルに関連付けられるのかまたは２次セルに関連付けられるのかを決定することと、ＦＤＤダウンリンク帯域が１次セルに関連付けられるのかまたは２次セルに関連付けられるのかに基づいて周期的チャネル状態情報（ＣＳＩ）報告フォーマットを決定することとを行うことを随意に含み得る。本方法は、ＦＤＤダウンリンク帯域が１次セルに関連付けられると決定したことに応答してＴＤＤ報告フォーマットに基づいて周期的ＣＳＩ報告を送信することをさらに含み得る。代替的に、本方法は、ＦＤＤダウンリンク帯域が２次セルに関連付けられると決定したことに応答して１次セルのＣＳＩ報告フォーマットに基づいて周期的ＣＳＩ報告を送信することを含み得る。
【００１７】
[0017]別の態様では、本開示は、ワイヤレス通信のための装置を提供する。本装置は、一時的なＴＤＤ帯域へのＦＤＤアップリンク帯域の変更を示す再構成メッセージを受信するための手段を含み得る。本装置は、ＦＤＤダウンリンク帯域と一時的なＴＤＤ帯域とを含むＦＤＤ帯域のペアのための基準構成を決定するための手段、基準構成は、ＦＤＤ帯域のペアに関連するサブフレームのパターンを示す、をさらに含み得る。本装置は、上記で説明した方法を実行するための手段をさらに含み得る。
【００１８】
[0018]別の態様では、本開示は、ワイヤレス通信のための別の装置を提供する。本装置は、ダウンリンクチャネルのサブフレームを受信するように構成されたトランシーバを含み得る。本装置はまた、メモリと、少なくとも１つのバスを介してトランシーバおよびメモリに通信可能に結合された少なくとも１つのプロセッサとを含み得る。少なくとも１つのプロセッサは、一時的なＴＤＤ帯域へのＦＤＤアップリンク帯域の変更を示す再構成メッセージを受信するように構成され得る。少なくとも１つのプロセッサは、ＦＤＤダウンリンク帯域と一時的なＴＤＤ帯域とを含むＦＤＤ帯域のペアのための基準構成を決定すること、基準構成は、ＦＤＤ帯域のペアに関連するサブフレームのパターンを示す、を行うようにさらに構成され得る。少なくとも１つのプロセッサは、上記で説明した方法を実行するようにさらに構成され得る。
【００１９】
[0019]別の態様では、本開示は、ワイヤレス通信ためのコンピュータ実行可能コードを記憶するコンピュータ可読媒体を提供する。コンピュータ可読媒体は、一時的なＴＤＤ帯域へのＦＤＤアップリンク帯域の変更を示す再構成メッセージを受信するためのコードを含み得る。コンピュータ可読媒体は、ＦＤＤダウンリンク帯域と一時的なＴＤＤ帯域とを含むＦＤＤ帯域のペアのための基準構成を決定するためのコード、基準構成は、ＦＤＤ帯域のペアに関連するサブフレームのパターンを示す、をさらに含み得る。コンピュータ可読媒体は、上記で説明した方法を実行するためのコードをさらに含み得る。コンピュータ可読媒体は、コンピュータ実行可能コードを記憶する非一時的コンピュータ可読媒体であり得る。
【００２０】
[0020]様々な態様および特徴について、添付の図面において示されるように、それの様々な例を参照しながら以下でさらに詳細に説明する。これらの態様について様々な例を参照しながら以下で説明するが、説明する態様がそのように限定されないことを理解されたい。本明細書の教示へのアクセスを有する当業者は、追加の実装形態、変更形態、および例、ならびに本明細書で説明する態様の範囲内に入り、それに関して説明する態様が著しく有用であり得る他の使用分野を認識されよう。
【図面の簡単な説明】
【００２１】
【図１】[0021]フレキシブルな複信を使用して発展型ノードＢと通信しているユーザ機器を含む通信システムの一例を示す図。
【図２】[0022]フレキシブルな複信におけるダウンリンクＨＡＲＱタイミングのための基準構成の一例を概念的に示すブロック図。
【図３】[0023]フレキシブルな複信におけるアップリンクスケジューリングおよびＨＡＲＱタイミングのための基準構成の一例を概念的に示すブロック図。
【図４】[0024]フレキシブルな複信におけるアップリンクスケジューリングおよびＨＡＲＱタイミングのための基準構成の別の例を概念的に示すブロック図。
【図５】[0025]フレキシブルな複信におけるダウンリンクＨＡＲＱの方法の一例を示すフローチャート。
【図６】[0026]フレキシブルな複信シナリオにおけるサウンディング基準信号（ＳＲＳ）送信の一例を概念的に示すブロック図。
【図７】[0027]フレキシブルな複信におけるアップリンクＨＡＲＱの方法の一例を示すフローチャート。
【図８】[0028]フレキシブルな複信におけるソフトバッファ管理の方法の一例を示すフローチャート。
【図９】[0029]フレキシブルな複信シナリオにおけるチャネル状態情報（ＣＳＩ）報告の方法の一例を示すフローチャート。
【図１０】[0030]ネットワークアーキテクチャの一例を示す図。
【図１１】[0031]アクセスネットワークの一例を示す図。
【図１２】[0032]ＬＴＥにおけるＤＬフレーム構造の一例を示す図。
【図１３】[0033]ＬＴＥにおけるＵＬフレーム構造の一例を示す図。
【図１４】[0034]ユーザプレーンおよび制御プレーンのための無線プロトコルアーキテクチャの一例を示す図。
【図１５】[0035]アクセスネットワーク中の発展型ノードＢおよびユーザ機器の一例を示す図。
【図１６】[0036]処理システムを採用する装置のためのハードウェア実装形態の一例を示す図。
【図１７】[0037]本開示の一態様による、連続キャリアアグリゲーションタイプを示す図。
【図１８】[0038]本開示の一態様による、非連続キャリアアグリゲーションタイプを示す図。
【発明を実施するための形態】
【００２２】
[0039]添付の図面に関して以下に記載される詳細な説明は、種々の構成の説明として意図されており、本明細書で説明する概念が実践され得る構成を表すことを意図しない。詳細な説明は、種々の概念を完全に理解してもらう目的で、具体的な詳細を含む。しかしながら、これらの概念はこれらの具体的な詳細なしに実施され得ることが、当業者には明らかであろう。いくつかの例では、そのような概念を不明瞭にしないように、よく知られている構造および構成要素をブロック図の形式で示す。
【００２３】
[0040]一態様では、本開示は、フレキシブルな複信シナリオにおける通信のための設計を提供する。フレキシブルな複信シナリオでは、周波数分割複信（ＦＤＤ）を使用するセルを与える発展型ノードＢ（ｅＮＢ）は、たとえば、ＵＥのための大きいダウンリンク負荷に基づいてＦＤＤアップリンク帯域上で時分割複信（ＴＤＤ）を使用するようにセルとＵＥとを再構成し得る。セルは、他のＵＥｓのためにＦＤＤアップリンク帯域としてＦＤＤアップリンク帯域を使用し続け得る。さらに、セルは、任意の時間に、たとえば、ＵＥがより高いレベルのアップリンクトラフィックを示すときに、ＵＥのためのＦＤＤアップリンク構成に変更して戻り得る。したがって、再構成された帯域は、一時的なＴＤＤ帯域と呼ばれることがある。さらに、ＦＤＤダウンリンク帯域がダウンリンクトラフィックのために使用され得、ＦＤＤアップリンク帯域（または一時的なＴＤＤ帯域）のいくつかのタイムスロットもダウンリンクトラフィックのために使用され得る。したがって、フレキシブルな複信は、アップリンクリソースを別の目的で使用することによって、ダウンリンクスループットを増加させ得る。
【００２４】
[0041]ＦＤＤアップリンク帯域の再構成は、ＦＤＤアップリンク帯域上で一般に搬送される情報に影響を及ぼし得る。たとえば、ダウンリンク（ＤＬ）ハイブリッド自動再送要求（ＨＡＲＱ）ステータス確認応答信号は、一般に、ＦＤＤアップリンク帯域上で搬送される物理アップリンク制御チャネル（ＰＵＣＣＨ）上で搬送され得る。ＦＤＤアップリンク帯域が再構成されると、一時的なＴＤＤ帯域は、あらゆるサブフレーム中でステータス確認応答信号を送信することができないことがある。別の態様では、再送信のためのアップリンクサブフレームが現在ダウンリンクサブフレームであり得るので、アップリンクＨＡＲＱ再送信が中断され得る。別の態様では、ダウンリンクサブフレームの数の増加は、ＨＡＲＱプロセスの数を増加させ、ソフトバッファなどのダウンリンク復号リソースに負担をかけ得る。さらに、ＵＥとｅＮＢとの間でシグナリングされる様々な情報のためのフォーマッティングは、一般に、複信構成に基づき得る。フレキシブルな複信はＦＤＤとＴＤＤとの両方に使用することが可能になるので、適用可能なフォーマットはあいまい（ambiguous）になり得る。
【００２５】
[0042]本開示は、上記の問題に対処するフレキシブルな複信設計を提供する。ダウンリンクおよび／またはアップリンクのためのＨＡＲＱタイミングを決定するために、ＦＤＤダウンリンク帯域と一時的なＴＤＤ帯域との両方に適用可能な基準構成が使用され得る。さらに、ソフト復号決定のための対数尤度比（ＬＬＲ）を記憶するための「ソフトバッファ」がフレキシブルな複信によって影響を及ぼされ得る。ソフトバッファは、ＦＤＤダウンリンク帯域と一時的なＴＤＤ帯域とが他のキャリアとアグリゲートされるのかどうかに応じてキャリアアグリゲーション技法に基づいて管理され得る。本開示はまた、信号フォーマッティングを決定することを提供する。
【００２６】
[0043]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す（まとめて「要素」と呼ばれる）。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００２７】
[0044]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２８】
[0045]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の入手可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００２９】
[0046]図１を参照すると、一態様では、ワイヤレス通信システム１０は、ユーザ機器（ＵＥ）１２と通信している発展型ノードＢ（ｅＮＢ）１４を含む。ｅＮＢ１４は、セルを与え得る。「ｅＮＢ」および「セル」という用語は、本明細書では互換的に使用され得、コンテキストに応じてｅＮＢまたはｅＮＢによって与えられたセルのいずれかを照会し得る。第２のｅＮＢ２０はまた、ＵＥ１２と通信していることがある。ｅＮＢ１４とｅＮＢ２０とは、Ｘ２インターフェースシグナリングを搬送する通信リンク２８を介して互いに通信し得る。ｅＮＢ１４とｅＮＢ２０とはまた、発展型パケットコア（ＥＰＣ）１６と通信し得る。一態様では、ｅＮＢ１４は、ＴＤＤ送信のためにＦＤＤアップリンク帯域２４を再構成することによってＦＤＤダウンリンク帯域２２からＦＤＤアップリンク帯域２４にダウンリンクトラフィックをオフロードするためにフレキシブルな複信を使用し得る。したがって、ＦＤＤアップリンク帯域２４は、一時的なＴＤＤ帯域２４と呼ばれることがある。ＦＤＤアップリンク帯域２４中でＤＬのために追加のリソースを使用することで、ＦＤＤダウンリンク帯域２２を単独で使用するだけで利用可能なＤＬ容量と比較して追加のＤＬ容量が達成され得る。一態様では、ＦＤＤアップリンク帯域２４は、アップリンク送信のために少なくとも１つのセルによって使用され得る周波数範囲を指すことがある。したがって、ＴＤＤ帯域として一時的に再構成されたＦＤＤアップリンク帯域は、ＦＤＤアップリンク帯域と呼ばれることもある。
【００３０】
[0047]ＵＥ１２はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。ＵＥ１２は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、ウェアラブルコンピューティングデバイス（たとえば、スマートウォッチ、スマート眼鏡、ヘルスまたはフィットネストラッカーなど）、アプライアンス、センサー、ビークル通信システム、医療デバイス、自動販売機、モノのインターネットのためのデバイス、または任意の他の同様の機能デバイスであり得る。ＵＥ１２は、マクロｅＮＢ、ピコｅＮＢ、フェムトｅＮＢ、リレーなどと通信することが可能であり得る。
【００３１】
[0048]ｅＮＢ１４は、ＵＥ１２をサービスするセルを与え得る。いくつかの態様では、ＵＥ１２などの複数のＵＥｓは、ｅＮＢ１４とｅＮＢ２０とを含む１つまたは複数のｅＮＢとの通信カバレージ中にあり得る。ｅＮＢ１４は、ＵＥ１２と通信する局であり得、基地局、アクセスポイント、ノードＢなどと呼ばれることもある。ｅＮＢ１４などの各ｅＮＢは、特定の地理的エリアに通信カバレージを与え得る。３ＧＰＰでは、「セル」という用語は、この用語が使用されるコンテキストに応じて、ｅＮＢ１４のカバレージエリアおよび／またはこのカバレージエリアをサービスしているｅＮＢサブシステムを指すことがある。たとえば、ｅＮＢ１４は、ＵＥ１２が接続確立手順を最初に実行するセルであり得る。そのようなセルは、１次セルまたはＰｃｅｌｌと呼ばれることがある。別のｅＮＢ２０は、第２の周波数帯域２６上で動作していることがあり、２次セルまたはＳＣｅｌｌと呼ばれることがある。第２の周波数帯域２６は、ＦＤＤまたはＴＤＤのいずれかを使用し得る。ｅＮＢが、ＵＥ１２の接続状態に応じて１次セルまたは２次セルのいずれかとして動作し得ることは明らかとなるはずである。１次セル識別子（ＰＣＩ）などのセル識別子（ＩＤ）はｅＮＢにマッピングされ得る。ＵＥは、マルチプルのｅＮＢのカバレージエリア内にあり得る。これらのｅＮＢのうちの１つが、そのＵＥをサービスするために選択され得る。サービングｅＮＢは、受信電力、経路損失、信号対雑音比（ＳＮＲ）などの無線リンク監視測定値および無線リソース監視測定値を含む様々な基準に基づいて選択され得る。
【００３２】
[0049]ｅＮＢ１４は、マクロセル、スモールセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥｓ１２による無制限アクセスを可能にし得る。本明細書で使用する「スモールセル」という用語は、マクロセルの送信電力および／またはカバレージエリアと比較して比較的低い送信電力および／または比較的小さいカバレージエリアセルを指す。さらに、「スモールセル」という用語は、限定はしないが、フェムトセル、ピコセル、アクセスポイント基地局、ホームノードＢ、フェムトアクセスポイント、またはフェムトセルなどのセルを含み得る。たとえば、マクロセルは、限定はしないが、半径数キロメートルなど、比較的大きい地理的エリアをカバーし得る。対照的に、ピコセルは、比較的小さい地理的エリアをカバーし得、サービスに加入しているＵＥ１２ｓによる無制限のアクセスを可能にし得る。フェムトセルは、比較的小さい地理的エリア（たとえば、自宅）をカバーし得、フェムトセルとの関連付けを有するＵＥ１２（たとえば、限定加入者グループ（ＣＳＧ：Closed Subscriber Group）に加入し得るＵＥ１２、自宅内のユーザのためのＵＥ１２など）による制限付きアクセスを可能にし得る。マクロセルのためのｅＮＢ１４はマクロｅＮＢと呼ばれることがある。ピコセルのためのｅＮＢ１４はピコｅＮＢと呼ばれることがある。フェムトセルのためのｅＮＢ１４はフェムトｅＮＢまたはホームｅＮＢと呼ばれることがある。
【００３３】
[0050]ＵＥ１２は、フレキシブルな複信構成要素４０を含み得る。フレキシブルな複信構成要素４０は、ＵＥ１２においてフレキシブルな複信設計を実装し得る。本態様によれば、ＵＥ１２は、本開示で説明する少なくともフレキシブルな複信設計態様を実装するためにフレキシブルな複信構成要素４０と組み合わせて動作し得る１つまたは複数のプロセッサ１０３を含み得る。一態様では、本明細書において使用されるときに「構成要素」という用語は、システムを構成する部分のうちの１つとすることができ、ハードウェア、ファームウェアおよび／またはソフトウェアとすることができ、他の構成要素に分割され得る。フレキシブルな複信構成要素４０は、ＲＦ信号を受信し処理するための受信機３２と、ＲＦ信号を処理して送信するための送信機３４とを含み得るトランシーバ１０６に通信可能に結合され得る。フレキシブルな複信構成要素４０は、ＦＤＤ帯域のペアのための基準構成を決定するための基準構成構成要素４２と、ＦＤＤダウンリンク帯域および／または一時的なＴＤＤ帯域のためのＨＡＲＱタイミングを決定するためのＨＡＲＱタイミング構成要素４４と、スケジュールされたアップリンク送信のためのサブフレームを決定するためのアップリンクスケジューラ４６と、１つまたは複数のソフトバッファを与え、管理するためのソフトバッファ構成要素４８と、送信をフォーマットするためのフォーマット構成要素５０とを含み得る。プロセッサ１０３は、少なくとも１つのバス１１０を介してトランシーバ１０６およびメモリ１３０に結合され得る。
【００３４】
[0051]受信機３２は、データを受信するためのプロセッサによって実行可能なハードウェア、ファームウェア、および／またはソフトウェアコードを含み、このコードは、命令を備え、メモリ（たとえば、コンピュータ可読媒体）に記憶され得る。受信機３２は、たとえば、無線周波数（ＲＦ）受信機であり得る。一態様では、受信機３２は、ｅＮＢ１４によって送信された信号を受信し、復号し得る。受信機３２は、ダウンリンクサブフレームのＦＤＤダウンリンク帯域１２２および／または一時的なＴＤＤ帯域１２４ごとに受信信号（たとえば、物理ダウンリンク共有チャネル（ＰＤＳＣＨ））のステータスを決定し得る。一態様では、受信機３２は、一時的なＴＤＤ帯域へのＦＤＤアップリンク帯域の変更を示す再構成メッセージを受信し得る。受信機３２は、再構成メッセージを復号し、フレキシブルな複信構成要素４０に再構成メッセージを渡し得る。
【００３５】
[0052]送信機３４は、データを送信するためのプロセッサによって実行可能なハードウェア、ファームウェア、および／またはソフトウェアコードを含み、このコードは、命令を備え、メモリ（たとえば、コンピュータ可読媒体）に記憶され得る。送信機３４は、たとえば、ＲＦ送信機であり得る。送信機３４は、物理アップリンク制御チャネル（ＰＵＣＣＨ）など、プロセッサ１０３および／またはフレキシブルな複信構成要素４０によって決定される信号を送信し得る。
【００３６】
[0053]一態様では、１つまたは複数のプロセッサ１０３は、１つまたは複数のモデムプロセッサを使用するモデム１０８を含み得る。フレキシブルな複信構成要素４０に関係する様々な機能は、モデム１０８および／またはプロセッサ１０３に含まれ得、一態様では、単一のプロセッサによって実行され得、一方、他の態様では、それらの機能のうちの異なる機能が、２つ以上の異なるプロセッサの組合せによって実行され得る。たとえば、一態様では、１つまたは複数のプロセッサ１０３は、トランシーバ１０６に関連するモデムプロセッサ、またはベースバンドプロセッサ、またはデジタル信号プロセッサ、または送信プロセッサ、またはトランシーバプロセッサのうちの任意の１つまたは任意の組合せを含み得る。特に、１つまたは複数のプロセッサ１０３は、フレキシブルな複信構成要素４０中に含まれる１つまたは複数の副構成要素を実装し得る。
【００３７】
[0054]基準構成構成要素４２は、ＦＤＤ帯域のペアのための基準構成を決定するためのプロセッサ１０３によって実行可能なハードウェア、ファームウェアおよび／またはソフトウェアコードを含み、コードは、命令を備え、メモリ（たとえば、コンピュータ可読媒体）中に記憶され得る。一態様では、基準構成構成要素４２は、ＦＤＤダウンリンク帯域２２と一時的なＴＤＤ帯域２４とを含むＦＤＤ帯域のペアのための基準構成を決定し得る。一態様では、基準構成は、ＦＤＤ帯域のペアに関連するサブフレームのパターンを示し得る。たとえば、基準構成は、ダウンリンクサブフレーム、アップリンクサブフレーム、または特殊サブフレームのうちの１つまたは複数を含むサブフレームのパターンであり得る。一態様では、基準構成は、一時的なＴＤＤ帯域２４のためのサブフレームのパターンであり得る。基準構成はまた、たとえば、制御およびシグナリングのためにＦＤＤダウンリンク帯域２２に適用され得る。
【００３８】
[0055]ＨＡＲＱタイミング構成要素４４は、ＦＤＤダウンリンク帯域および／または一時的なＴＤＤ帯域のためのＨＡＲＱタイミングを決定するためのプロセッサ１０３によって実行可能なハードウェア、ファームウェアおよび／またはソフトウェアコードを含み、コードは、命令を備え、メモリ（たとえば、コンピュータ可読媒体）中に記憶され得る。一態様では、ＨＡＲＱタイミング構成要素４４は、基準構成に基づいてＦＤＤダウンリンク帯域のためのＨＡＲＱタイミングを決定し得る。たとえば、ＨＡＲＱタイミング構成要素４４は、肯定応答ステータス信号を送信すべき一時的なＴＤＤ帯域２４のアップリンクサブフレームを決定し得る。
【００３９】
[0056]アップリンクスケジューラ４６は、スケジュールされたアップリンク送信のためのサブフレームを決定するためのプロセッサ１０３によって実行可能なハードウェア、ファームウェアおよび／またはソフトウェアコードを含み、コードは、命令を備え、メモリ（たとえば、コンピュータ可読媒体）中に記憶され得る。アップリンクスケジューラ４６は、ＦＤＤダウンリンク帯域２２または一時的なＴＤＤ帯域２４のいずれかの上で許可が受信されたサブフレームに基づいてスケジュールされたアップリンク送信のためのサブフレームを決定し得る。一態様では、アップリンクスケジューラ４６は、許可がＦＤＤダウンリンク帯域２２上で受信されたときＦＤＤアップリンクＨＡＲＱタイミングに基づいて一時的なＴＤＤ帯域２４のアップリンクサブフレーム中にアップリンク送信（たとえば、ＰＵＳＣＨ送信）をスケジュールし得る。たとえば、スケジュールされたアップリンクサブフレームは、受信された許可の後の固定数のサブフレーム（たとえば、４）であり得る。ｅＮＢ１４は、スケジュールされたサブフレームが一時的なＴＤＤ帯域２４のアップリンクサブフレームにマッピングするようになるようにサブフレーム中で許可を送信し得る。別の態様では、アップリンクスケジューラ４６は、一時的なＴＤＤ帯域２４上でアップリンク許可が受信されたとき基準構成に基づいて一時的なＴＤＤ帯域２４のアップリンクサブフレーム中にアップリンク送信をスケジュールし得る。アップリンクスケジューラ４６はまた、アップリンク送信のためのＨＡＲＱプロセス番号を決定し得る。たとえば、ＨＡＲＱプロセス番号は、許可中に含まれる３ビットのＨＡＲＱプロセス番号に基づき得る。
【００４０】
[0057]ソフトバッファ構成要素４８は、１つまたは複数のソフトバッファを管理するためのプロセッサ１０３によって実行可能なハードウェア、ファームウェアおよび／またはソフトウェアコードを含み、コードは、命令を備え、メモリ（たとえば、コンピュータ可読媒体）中に記憶され得る。一態様では、ソフトバッファ構成要素４８は、１つまたは複数のソフトバッファを与えるための物理メモリ（たとえば、ランダムアクセスメモリ（ＲＡＭ））をさらに含み得る。ソフトバッファは、受信された送信についてのＬＬＲ情報を記憶し得る。ソフトバッファ構成要素４８は、ＨＡＲＱプロセスを使用してソフトバッファを管理し得る。ＨＡＲＱプロセスに割り当てられたメモリビットは、ＨＡＲＱプロセスのための再送信が受信されると更新され、ＨＡＲＱプロセスのための新しい送信が受信されると消去され、書き直され得る。一態様では、ソフトバッファ領域を割り振るために、ソフトバッファ構成要素４８は、ＦＤＤ帯域２２、２４のペアが少なくとも１つの第２の帯域とアグリゲートされるのかどうかを決定し得る。
【００４１】
[0058]ＦＤＤ帯域２２、２４のペアが少なくとも１つの第２の帯域とアグリゲートされない場合、ソフトバッファ構成要素４８は、ソフトバッファ管理のために別個のセルとしてＦＤＤダウンリンク帯域２２と一時的なＴＤＤ帯域２４とを識別し得る。ソフトバッファ構成要素４８は、ＦＤＤダウンリンク帯域２２と一時的なＴＤＤ帯域２４との間で（たとえば、物理メモリ中の）ソフトチャネルビットの総数を等しく分割することによってＦＤＤダウンリンク帯域２２と一時的なＴＤＤ帯域２４との各々にソフトバッファを割り振り得る。さらに、ソフトバッファ構成要素４８は、基準構成に基づいた一時的なＴＤＤ帯域２４とＦＤＤダウンリンク帯域２２との各々のためのＨＡＲＱプロセスの最大数を決定し得る。
【００４２】
[0059]ＦＤＤ帯域２２、２４のペアが少なくとも１つの第２の帯域とアグリゲートされる場合、ソフトバッファ構成要素４８は、単一のセルに関連付けられているものとしてＦＤＤダウンリンク帯域と一時的なＴＤＤ帯域とを識別し得る。ソフトバッファ構成要素４８は、ＦＤＤダウンリンク帯域２２と一時的なＴＤＤ帯域２４との間で共有されるようにソフトバッファを割り振り得る。ソフトバッファ構成要素４８は、基準構成に基づいてＦＤＤダウンリンク帯域と一時的なＴＤＤ帯域との単一のセルのためのＨＡＲＱプロセスの最大数を決定し得る。一態様では、ＵＥ１２は、同時にではないがＦＤＤダウンリンク帯域２２または一時的なＴＤＤ帯域２４のいずれかの上でダウンリンク送信を受信し得る。一態様では、ＦＤＤ帯域２２、２４のペアは、少なくとも１つの第２の帯域とアグリゲートされるとき、半数のＨＡＲＱプロセスを受信し得る。限られた数のＨＡＲＱプロセスは、ＦＤＤ帯域２２、２４の各々の上で送信を同時に受信することを防止し得る。
【００４３】
[0060]フォーマット構成要素５０は、送信のフォーマットを決定するためのプロセッサ１０３によって実行可能なハードウェア、ファームウェアおよび／またはソフトウェアコードを含み、コードは、命令を備え、メモリ（たとえば、コンピュータ可読媒体）中に記憶され得る。一態様では、たとえば、フォーマット構成要素５０は、ＰＤＣＣＨを受信するために使用される探索空間と物理ダウンリンク制御チャネル（ＰＤＣＣＨ）を受信するために使用される帯域とに基づいてＰＵＣＣＨリソースマッピングと、ＨＡＲＱタイミングと、ダウンリンク制御情報（ＤＣＩ）フォーマットと、を決定し得る。たとえば、ＰＤＣＣＨが共通の探索空間中のＦＤＤダウンリンク帯域２２上で受信される場合、ＦＤＤフォーマットが使用され得る。ＰＤＣＣＨが一時的なＴＤＤ帯域２４上で受信される、および／またはＰＤＣＣＨがＵＥ固有の探索空間中で受信される場合、ＴＤＤフォーマットが使用され得る。別の態様では、フォーマット構成要素５０は、基準構成とサブフレームインデックスとに基づいてＰＵＣＣＨリソースマッピングと、ＨＡＲＱタイミングと、ＤＣＩフォーマットと、を決定し得る。たとえば、ＰＤＣＣＨが、基準構成に基づいたＵＬサブフレームの前に固定数のサブフレーム（たとえば、４）であるダウンリンクサブフレーム中で受信される場合、ＦＤＤフォーマットが使用され得る。ＰＤＣＣＨが、基準構成に基づいたＵＬサブフレームの前に固定数のサブフレーム（たとえば、４）でないダウンリンクサブフレーム中で受信される場合、ＴＤＤフォーマットが使用され得る。
【００４４】
[0061]フォーマット構成要素５０はまた、チャネル状態情報（ＣＳＩ）の、または何らかの他のチャネル品質インジケータのフォーマットを決定し得る。一態様では、フォーマット構成要素５０は、ＦＤＤダウンリンク帯域２２が１次セルに関連付けられるのかまたは２次セルに関連付けられるのかを決定し得る。フォーマット構成要素５０は、ＦＤＤダウンリンク帯域２２が１次セルに関連付けられるのかまたは２次セルに関連付けられるのかに基づいてＣＳＩフォーマットを決定し得る。ＦＤＤダウンリンク帯域２２が１次セルに関連付けられる場合、フォーマット構成要素５０は、ＴＤＤ報告フォーマットに基づいて周期的ＣＳＩ報告をフォーマットし得る。ＦＤＤダウンリンク帯域２２が２次セルに関連付けられる場合、フォーマット構成要素５０は、１次セルのＣＳＩ報告フォーマットに基づいて周期的ＣＳＩ報告をフォーマットし得る。フォーマット構成要素５０は、送信機３４にフォーマットされたＣＳＩ報告を渡し得る。
【００４５】
[0062]さらに、一態様では、ＵＥ１２は、たとえば、ｅＮＢ１４によって使用されるＦＤＤダウンリンク帯域２２と一時的なＴＤＤ帯域２４との上でまたはｅＮＢ２０によって使用される第２の周波数帯域２６上で、無線送信を受信および送信するためのＲＦフロントエンド１０４とトランシーバ１０６とを含み得る。たとえば、トランシーバ１０６は、ＰＤＳＣＨ上でまたはｅＮＢ１４によって送信されたパケットを受信し得る。ＵＥ１２は、メッセージ全体を受信すると、パケットを復号し、パケットが正しく受信されたのかどうかを決定するために巡回冗長検査（ＣＲＣ）を実行し得る。たとえば、トランシーバ１０６は、フレキシブルな複信構成要素４０によって生成されたメッセージを送信することと、メッセージを受信し、フレキシブルな複信構成要素４０に転送することとを行うためにモデム１０８と通信し得る。
【００４６】
[0063]ＲＦフロントエンド１０４は、１つまたは複数のアンテナ１０２に接続され得、ＲＦ信号を送信および受信するための１つまたは複数の低雑音増幅器（ＬＮＡ）１４１と、１つまたは複数のスイッチ１４２、１４３と、１つまたは複数の電力増幅器（ＰＡ）１４５と、１つまたは複数のフィルタ１４４とを含むことができる。一態様では、ＲＦフロントエンド１０４の構成要素はトランシーバ１０６と接続することができる。トランシーバ１０６は、１つまたは複数のモデム１０８とプロセッサ１０３とに接続し得る。
【００４７】
[0064]一態様では、ＬＮＡ１４１は、所望の出力レベルにおいて受信信号を増幅することができる。一態様では、各ＬＮＡ１４１は、指定された最小および最大利得値を有し得る。一態様では、ＲＦフロントエンド１０４は、特定の適用例のための所望の利得値に基づいて特定のＬＮＡ１４１およびその指定された利得値を選択するために、１つまたは複数のスイッチ１４２、１４３を使用し得る。
【００４８】
[0065]さらに、たとえば、１つまたは複数のＰＡ１４５は、所望の出力電力レベルにおいてＲＦ出力のための信号を増幅するために、ＲＦフロントエンド１０４によって使用され得る。一態様では、各ＰＡ１４５は、指定された最小および最大利得値を有し得る。一態様では、ＲＦフロントエンド１０４は、特定の適用例のための所望の利得値に基づいて特定のＰＡ１４５およびそれの指定された利得値を選択するために、１つまたは複数のスイッチ１４３、１４６を使用し得る。
【００４９】
[0066]また、たとえば、１つまたは複数のフィルタ１４４は、入力ＲＦ信号を取得するために、受信信号をフィルタ処理するためにＲＦフロントエンド１０４によって使用され得る。同様に、一態様では、たとえば、それぞれのフィルタ１４４は、送信のための出力信号を生成するために、それぞれのＰＡ１４５からの出力をフィルタ処理するために使用され得る。一態様では、各フィルタ１４４は、特定のＬＮＡ１４１および／またはＰＡ１４５に接続され得る。一態様では、ＲＦフロントエンド１０４は、トランシーバ１０６および／またはプロセッサ１０３によって指定される構成に基づいて、指定されたフィルタ１４４、ＬＮＡ１４１、および／またはＰＡ１４５を使用する送信または受信経路を選択するために、１つまたは複数のスイッチ１４２、１４３、１４６を使用することができる。
【００５０】
[0067]トランシーバ１０６は、ＲＦフロントエンド１０４を介してアンテナ１０２を通してワイヤレス信号を送信および受信するように構成され得る。一態様では、トランシーバ１０６は、ＵＥ１２が、たとえば、ｅＮＢ１４またはｅＮＢ２０と通信することができるように、指定された周波数において動作するように同調され得る。一態様では、たとえば、モデム１０８は、ＵＥ１２のＵＥ構成とモデム１０８によって使用される通信プロトコルとに基づいて、指定された周波数および電力レベルにおいて動作するようにトランシーバ１０６を構成することができる。
【００５１】
[0068]一態様では、モデム１０８は、デジタルデータがトランシーバ１０６を使用して送信および受信されるように、デジタルデータを処理し、トランシーバ１０６と通信することができるマルチバンドマルチモードモデムであり得る。一態様では、モデム１０８はマルチバンドであり、特定の通信プロトコルのためのマルチプルの周波数帯域をサポートするように構成され得る。一態様では、モデム１０８はマルチモードであり、複数の動作ネットワークおよび通信プロトコルをサポートするように構成され得る。一態様では、モデム１０８は、指定されたモデム構成に基づいてネットワークからの信号の送信および／または受信を可能にするために、ＵＥ１２の１つまたは複数の構成要素（たとえば、ＲＦフロントエンド１０４、トランシーバ１０６）を制御することができる。一態様では、モデム構成は、モデムのモードと使用中の周波数帯域とに基づくことができる。別の態様では、モデム構成は、セル選択および／またはセル再選択中にネットワークによって与えられた、ＵＥ１２に関連するＵＥ構成情報に基づくことができる。
【００５２】
[0069]ＵＥ１２は、さらに、本明細書で使用されるデータを記憶するためなどのメモリ１３０、および／またはアプリケーションのローカルバージョン、またはチャネル品質構成要素３０、および／またはプロセッサ１０３によって実行されているそれの副構成要素のうちの１つまたは複数を含み得る。メモリ１３０は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたはプロセッサ１０３によって使用可能な任意のタイプのコンピュータ可読媒体を含むことができる。一態様では、たとえば、ＵＥ１２が、フレキシブルな複信構成要素４０および／またはそれの副構成要素のうちの１つまたは複数を実行するようにプロセッサ１０３を動作させているとき、メモリ１３０は、フレキシブルな複信構成要素４０および／またはそれの副構成要素のうちの１つまたは複数を定義する１つまたは複数のコンピュータ実行可能コード、および／またはそれに関連付けられるデータを記憶するコンピュータ可読記憶媒体であり得る。別の態様では、たとえば、メモリ１３０は非一時的コンピュータ可読記憶媒体であり得る。
【００５３】
[0070]図２に、フレキシブルな複信におけるダウンリンクＨＡＲＱタイミングのためのＵＬ／ＤＬ構成の一例を概念的に示すブロック図２００を示す。ｅＮＢ１４は、図１に示したように、ＦＤＤダウンリンク帯域２２と一時的なＴＤＤ帯域２４とで構成され得る。無線フレーム２０２および２０４は、各帯域上で搬送され得る。各無線フレーム２０２、２０４は、たとえば、１０ミリ秒（ｍｓ）であり、サブフレームインデックス０〜９をもつ１０個のサブフレームに分割され得る。ＦＤＤダウンリンク帯域２２中で、各サブフレームは、ダウンリンク（Ｄ）送信用に指定され得る。一時的なＴＤＤ帯域２４中で、各サブフレームは、ダウンリンク（Ｄ）、アップリンク（Ｕ）、または特殊（Ｓ）として指定され得る。ＴＤＤ中で、１．４〜２０ＭＨｚの単一の帯域が、アップリンク送信とダウンリンク送信との両方を搬送するために使用され得る。たとえば、ＦＤＤアップリンク帯域２４は、ＵＬ送信とＤＬ送信とを搬送する一時的なＴＤＤ帯域２４として再構成され得る。ＴＤＤ中で、ＵＬ送信とＤＬ送信とは、干渉を防止するために、ガード期間によって時間領域中で分離され得る。ＦＤＤ  ＵＬ帯域２４は、ＴＤＤ中で動作するとき、基準構成２０６に従い得、これは、ＴＤＤフレーム構成と呼ばれることもある。基準構成２０６は、たとえば、インデックス０に第１のダウンリンクサブフレームを含み、その後、インデックス１に特殊サブフレームを含み、次いで、たとえば、インデックス２〜４にいくつかのアップリンクサブフレームを含み得る。特殊サブフレームは、ガード期間を含み得る。別のガード期間を含み得る切替えポイント（switching point）の後に、ＴＤＤフレーム構成の残余は、インデックス４〜９にダウンリンクサブフレームを含み得る。図２に示す例では、ｅＮＢ１４は、６つのダウンリンクサブフレームと、１つの特殊サブフレームと、３つのアップリンクサブフレームとを有する基準フレーム構成でＦＤＤ  ＵＬ帯域２４を構成し得る。したがって、ｅＮＢ１４は、ＦＤＤダウンリンク帯域２２からＦＤＤ  ＵＬ帯域２４にダウンリンク送信をオフロード（offload）し得る。必要に応じて（たとえば、負荷に応じて）ｅＮＢ１４は、ＦＤＤに切り替えて戻るか、またはオフロードのためにＴＤＤを使用し続け得る。
【００５４】
[0071]ＴＤＤフレーム構成が、ダウンリンクサブフレームと、特殊サブフレームと、アップリンクサブフレームとの他の組合せを含み得、これがオフロードの所望の量に基づいて選択され得ることを諒解されたい。さらに、ＴＤＤフレーム構成は、切替え周期（たとえば、５ｍｓまたは１０ｍｓ）を有し得、これは、特殊サブフレームの数に対応し得る。ＴＤＤフレーム構成は、構成インデックスによって識別され得る。表１に、使用され得るＴＤＤフレーム構成の例を示す。図示のように、図２は、ＴＤＤフレーム構成３の一例であり得る。
【表１】
0006640327.tif 000002
【００５５】
[0072]図２に、ダウンリンクＨＡＲＱシグナリングをさらに示す。ステータス確認応答信号は、基準構成２０６に基づいて一時的なＴＤＤ帯域２４上のアップリンクサブフレーム中でのみ送信され得る。たとえば、図２に示すように、インデックス２〜４のサブフレームのみが、ステータス確認応答信号（たとえば、肯定応答またはＡＣＫ信号、否定応答またはＮＡＣＫ信号）のために利用可能であり得る。ダウンリンクサブフレームごとに、矢印は、ステータス確認応答信号を搬送し得るアップリンクサブフレームを指す。一態様では、ダウンリンクＨＡＲＱ報告は、一時的なＴＤＤ帯域２４の基準構成２０６に従い得る。一時的なＴＤＤ帯域２４のダウンリンクサブフレームのためのステータス確認応答信号は、基準構成に基づいて定義されるアップリンクサブフレーム中で送信され得る。たとえば、基準構成３の場合、インデックス０のサブフレームは、インデックス４のサブフレーム中で肯定応答され得、インデックス１、５、および６のサブフレームは、次のフレーム２０４のインデックス２のサブフレーム中で肯定応答され得、インデックス７および８のサブフレームは、次のフレーム２０４のインデックス３のサブフレーム中で肯定応答され得、インデックス９のサブフレームは、次のフレーム２０４のインデックス４のサブフレーム中で肯定応答され得る。ＦＤＤダウンリンク帯域２２について、一時的なＴＤＤ帯域２４中に対応するダウンリンクサブフレームを有するサブフレームは、ステータス確認応答信号のために対応するアップリンクサブフレームを使用し得る。一時的なＴＤＤ帯域２４中に対応するダウンリンクサブフレームのないサブフレームの場合、ステータス確認応答信号は、ダウンリンクサブフレームの後の少なくとも４つのサブフレームである基準構成２０６の次のアップリンクサブフレーム中で送信され得る。たとえば、インデックス０のサブフレームは、インデックス４のサブフレーム中で肯定応答され得、インデックス１〜６のサブフレームはすべて、次のフレーム２０４のインデックス２のサブフレーム中で肯定応答され得、インデックス７および８のサブフレームは、次のフレーム２０４のインデックス３のサブフレーム中で肯定応答され得、インデックス９のサブフレームは、次のフレーム２０４のインデックス４のサブフレーム中で肯定応答され得る。
【００５６】
[0073]図３に、フレキシブルな複信におけるアップリンクスケジューリングおよびＨＡＲＱタイミングのための基準構成の一例を概念的に示すブロック図３００を示す。上記で説明したように、ＦＤＤダウンリンク帯域２２は、ダウンリンクサブフレームのみのために構成され得る。一時的なＴＤＤ帯域２４は、基準構成３０６で構成され得、これは、たとえば、表１中のＴＤＤフレーム構成６に対応し得る。アップリンク送信（たとえば、物理アップリンク共有チャネル（ＰＵＳＣＨ）のための）は、ＦＤＤダウンリンク帯域２２または一時的なＴＤＤ帯域２４のいずれかの上のダウンリンクサブフレーム中で受信された許可によってスケジュールされ得る。一態様では、ＦＤＤ帯域上で受信される許可は、許可の後の固定数のサブフレームであるアップリンクサブフレームに適用され得る。たとえば、サブフレームインデックス８中で受信された許可は、インデックス２の後続のサブフレーム中で適用され得る。ｅＮＢ１４は、基準構成中のアップリンクサブフレームにマッピングするダウンリンクサブフレーム中でのみ許可を送信し得る。別の態様では、ＴＤＤ帯域上で受信される許可は、許可の後の固定数のサブフレームであるアップリンクサブフレームに適用され得る。たとえば、一時的なＴＤＤ帯域２４は、ＦＤＤ帯域２２と同じルールに従い得る。したがって、たとえば、インデックス９のサブフレーム中で受信された許可は、インデックス３のアップリンクサブフレーム中で適用され得る。しかしながら、インデックス８のサブフレームはアップリンクサブフレームであるので、一時的なＴＤＤ帯域２４は、たとえば、インデックス２のサブフレーム中にアップリンク送信をスケジュールすることができないことがある。
【００５７】
[0074]図４に、フレキシブルな複信におけるアップリンクスケジューリングおよびＨＡＲＱタイミングのための基準構成の別の例を概念的に示すブロック図４００を示す。上記で説明したように、ＦＤＤダウンリンク帯域２２は、ダウンリンクサブフレームのみのために構成され得る。一時的なＴＤＤ帯域２４は、基準構成４０６で構成され得、これは、たとえば、表１中のＴＤＤフレーム構成６に対応し得る。（たとえば、物理アップリンク共有チャネル（ＰＵＳＣＨ）のためのアップリンク送信は、ＦＤＤダウンリンク帯域２２または一時的なＴＤＤ帯域２４のいずれかの上にダウンリンクサブフレーム中で受信された許可によってスケジュールされ得る。上記のように、ＦＤＤ帯域上で受信される許可は、許可の後の固定数のサブフレームであるアップリンクサブフレームに適用され得る。別の態様では、ＴＤＤ帯域上で受信される許可は、基準構成に基づいてアップリンクサブフレームに適用され得る。たとえば、基準構成４０６は、インデックス４のアップリンクサブフレームにインデックス９のダウンリンクサブフレーム中で受信された許可を適用し得る。
【００５８】
[0075]図５は、フレキシブルな複信におけるダウンリンクＨＡＲＱの方法５００の一例を示すフローチャートである。一動作態様では、ＵＥ１２（図１）などのＵＥは、フレキシブルな複信におけるダウンリンクＨＡＲＱのための方法５００の一態様を実行し得る。説明を簡単にするために、方法は一連の行為として図示および説明するが、いくつかの行為は、１つまたは複数の態様によれば、本明細書で図示および説明した順序とは異なる順序で、および／または他の行為と同時に行われ得るので、方法（およびそれに関係するさらなる方法）は行為の順序によって限定されないことを理解し、諒解されたい。たとえば、方法は、状態図など、一連の相互に関係する状態またはイベントとして代替的に表現され得ることを諒解されたい。その上、本明細書で説明する１つまたは複数の特徴による方法を実装するために、図示のすべての行為が必要とされるとは限らない。
【００５９】
[0076]ブロック５０２において、方法５００は、一時的なＴＤＤ帯域へのＦＤＤアップリンク帯域の変更を示す再構成メッセージを受信することを含み得る。一態様では、たとえば、受信機３２は、一時的なＴＤＤ帯域２４へのＦＤＤアップリンク帯域の変更を示す再構成メッセージをｅＮＢ１４から受信し得る。受信機３２は、フレキシブルな複信構成要素４０に再構成メッセージを渡し得る。
【００６０】
[0077]ブロック５０４において、方法５００は、ＦＤＤダウンリンク帯域と一時的なＴＤＤ帯域とを含むＦＤＤ帯域のペアのための基準構成を決定すること、基準構成は、ＦＤＤ帯域のペアに関連するサブフレームのパターンを示す、を含み得る。一態様では、たとえば、基準構成構成要素４２は、ＦＤＤダウンリンク帯域２２と一時的なＴＤＤ帯域２４とを含むＦＤＤ帯域のペアのための基準構成（たとえば、基準構成２０６、３０６、４０６）を決定し得る。基準構成は、ＦＤＤ帯域のペアに関連するサブフレームのパターンを示し得る。
【００６１】
[0078]ブロック５０６において、方法５００は、基準構成に基づいてＦＤＤダウンリンク帯域のためのＨＡＲＱタイミングを決定することを含み得る。一態様では、たとえば、ＨＡＲＱタイミング構成要素４４は、基準構成に基づいてＦＤＤダウンリンク帯域２２のためのＨＡＲＱタイミングを決定し得る。ＨＡＲＱタイミングを決定することは、基準構成に基づいて肯定応答ステータス信号を送信すべき一時的なＴＤＤ帯域２４のアップリンクサブフレームを決定することを含み得る。
【００６２】
[0079]ブロック５０８において、方法５００は、ＨＡＲＱタイミングに基づいてＦＤＤダウンリンク帯域上で受信された送信に応答して一時的なＴＤＤ帯域上で肯定応答ステータス信号を送信すること、ここにおいて、肯定応答ステータス信号は、ＡＣＫ信号またはＮＡＣＫである、を含み得る。一態様では、たとえば、送信機３４は、ＨＡＲＱタイミングに基づいてＦＤＤダウンリンク帯域２２上で受信された送信に応答して一時的なＴＤＤ帯域上で肯定応答ステータス信号を送信し得る。
【００６３】
[0080]ブロック５１０において、方法５００は、ＴＤＤ報告フォーマットに基づいて一時的なＴＤＤ帯域の特殊サブフレーム中でアップリンクサウンディング基準信号（ＳＲＳ）を送信することを随意に含み得る、ここにおいて、ＳＲＳ送信のための電力制御とアップリンクタイミングアドバンス制御とは、ＦＤＤフォーマット、たとえば、６２４（Ｔｓ）の代わりに０に設定されたＮ＿ＴＡｏｆｆｓｅｔに基づく。一態様では、たとえば、送信機３４は、ＴＤＤ報告フォーマットに基づいて一時的なＴＤＤ帯域の１つまたは複数の特殊サブフレーム中でアップリンクＳＲＳを送信し得る。送信機３４は、ＦＤＤフォーマット、たとえば、６２４（Ｔｓ）の代わりに０に設定されたＮ＿ＴＡｏｆｆｓｅｔに基づいてＳＲＳ送信のための電力制御およびアップリンクタイミングアドバンス制御を決定し得る。
【００６４】
[0081]図６に、フレキシブルな複信におけるアップリンクＳＲＳの送信を概念的に示すブロック図６００を示す。ｅＮＢ２０は、第２の周波数帯域２６上に１次サービングセル（Ｐｃｅｌｌ）を与え得、一方、ｅＮＢ１４は、ＦＤＤダウンリンク帯域２２と一時的なＴＤＤ帯域２４とを使用して２次サービングセル（ＳＣｅｌｌ）を与える。ｅＮＢ２０は、たとえば、表１中のＴＤＤ構成０を使用して第２の周波数帯域２６のためにＴＤＤを使用し得る。ＵＥ１２は、ＴＤＤ報告フォーマット（たとえば、６２４（Ｔｓ）に設定されたＮ＿ＴＡｏｆｆｓｅｔ）に従って各フレーム中のインデックス１および６の特殊サブフレーム中でｅＮＢ２０にＳＲＳを送信し得る。ＵＥ１２は、表１中の基準構成０に従ってインデックス１および６の特殊サブフレーム中に一時的なＴＤＤ帯域２４上でｅＮＢ１４にＳＲＳを送信し得る。一時的なＴＤＤ帯域２４上のＳＲＳは、ＦＤＤフォーマット（たとえば、０に設定されたＮ＿ＴＡｏｆｆｓｅｔ）を使用し得る。したがって、一時的なＴＤＤ帯域２４上のＳＲＳは、ＴＤＤで構成された１次サービングセルについて第２の周波数帯域２６上のＳＲＳよりも前に送信され得る。一時的なＴＤＤ帯域２４がＦＤＤを使用するように構成されるとき、ＳＲＳ報告もＦＤＤフォーマットを使用し得、したがって、ＳＲＳを送信するために使用されるサブフレームは基準構成に基づいて変化し得るが、ＦＤＤアップリンク帯域２４上のＳＲＳタイミングアドバンスは、一時的なＴＤＤ帯域２４として再構成されるときに変化しないことがある。ＦＤＤタイミングアドバンスを用いて一時的なＴＤＤ帯域２４上でＳＲＳを送信することは、他のＵＥｓとの干渉を防止し得、これは、ＦＤＤ構成を用いてＦＤＤアップリンク帯域２４を使用し続け得る。
【００６５】
[0082]図７は、フレキシブルな複信におけるアップリンクスケジューリングおよびアップリンクＨＡＲＱの方法の一例を示すフローチャートである。一動作態様では、ＵＥ１２（図１）などのＵＥは、フレキシブルな複信におけるアップリンクスケジューリングおよびアップリンクＨＡＲＱのための方法７００の一態様を実行し得る。説明を簡単にするために、方法は一連の行為として図示および説明するが、いくつかの行為は、１つまたは複数の態様によれば、本明細書で図示および説明する順序とは異なる順序で、および／または他の行為と同時に行われ得るので、方法（およびそれに関係するさらなる方法）は行為の順序によって限定されないことを理解し、諒解されたい。たとえば、方法は、状態図など、一連の相互に関係する状態またはイベントとして代替的に表現され得ることを諒解されたい。その上、本明細書で説明する１つまたは複数の特徴による方法を実装するために、図示のすべての行為が必要とされるとは限らない。
【００６６】
[0083]ブロック７０２において、方法７００は、一時的なＴＤＤ帯域のダウンリンクサブフレーム上で許可を受信することを含み得、許可は、一時的なＴＤＤ帯域上にアップリンク送信をスケジュールする。一態様では、たとえば、受信機３２は、一時的なＴＤＤ帯域２４のダウンリンクサブフレーム上で許可を受信し得る。許可は、一時的なＴＤＤ帯域２４上にアップリンク送信をスケジュールし得る。許可は、１つまたは複数のサブフレーム中にアップリンク送信のために使用するためにＵＥ１２に、リソース要素（ＲＥ）、変調およびコーディング方式（ＭＣＳ）、および／または波形を割り当て得る。許可はまた、３ビットのＨＡＲＱプロセス番号を含み得る。
【００６７】
[0084]ブロック７０４において、方法７００は、スケジュールしているセルに基づくか、またはスケジュールされたセルに基づいてアップリンクスケジューリングを決定するようにＵＥ１２が構成されたのかを決定することを含み得る。ＵＥ１２がスケジュールされたセルに基づいてアップリンクスケジューリングを決定するように構成された場合、方法７００は、ブロック７０６に進み得る。ＵＥ１２がスケジュールしているセルに基づいてアップリンクスケジューリングを決定するように構成された場合、方法７００は、ブロック７０８に進み得る。
【００６８】
[0085]ブロック７０６において、方法７００は、ＦＤＤアップリンクＨＡＲＱタイミングに基づいてアップリンク送信のためのアップリンクサブフレームを決定することを含み得る。一態様では、たとえば、アップリンクスケジューラ４６は、ＦＤＤアップリンクＨＡＲＱタイミングに基づいてアップリンク送信のためのアップリンクサブフレームを決定し得る。一態様では、ＦＤＤアップリンクＨＡＲＱタイミングは、許可の受信の後の固定タイミングであり得る。たとえば、アップリンクスケジューラ４６は、アップリンクサブフレームを許可の受信の後の４つのサブフレームであると決定し得る。
【００６９】
[0086]ブロック７０８において、方法７００は、基準構成に基づいてアップリンク送信のためのアップリンクサブフレームを決定することを含み得る。一態様では、たとえば、アップリンクスケジューラ４６は、基準構成４０６に基づいてアップリンク送信のためのアップリンクサブフレームを決定し得る。基準構成４０６は、ＴＤＤ  ＵＬ−ＤＬ構成に対応し得る。一態様では、基準構成４０６は、各アップリンクサブフレームのための許可を受信するためのダウンリンクサブフレームを定義するか、またはその逆に、各ダウンリンクサブフレーム中で受信された許可を適用すべきアップリンクサブフレームを定義し得る。一態様では、受信機３２は、指定されたダウンリンクサブフレーム中で許可を監視し得る。
【００７０】
[0087]ブロック７１０において、方法７００は、許可中に含まれる３ビットのＨＡＲＱプロセス番号に基づいてアップリンク送信のためのアップリンクＨＡＲＱプロセス番号を決定することを随意に含み得る。一態様では、たとえば、ＨＡＲＱタイミング構成要素４４は、許可中に含まれる３ビットのＨＡＲＱプロセス番号に基づいてＨＡＲＱプロセス番号を決定し得る。
【００７１】
[0088]図８は、キャリアアグリゲーション技法に基づくフレキシブルな複信におけるソフトバッファ管理の方法の一例を示すフローチャートである。キャリアアグリゲーションを使用すると、ＵＥｓ（たとえば、ＬＴＥアドバンスト対応のＵＥｓ）は、送信および受信のために使用される最高合計１００ＭＨｚ（５つのコンポーネントキャリア）のキャリアアグリゲーションにおいて割り振られた、最高２０ＭＨｚ帯域幅のスペクトルを使用し得る。ＬＴＥアドバンスト対応ワイヤレス通信システムのために、２つのタイプのキャリアアグリゲーション（ＣＡ：carrier aggregation）方法、それぞれ図１７および図１８に示す連続ＣＡおよび非連続ＣＡが提案されている。連続ＣＡは、（図１７に示すように）マルチプルの利用可能なコンポーネントキャリアが互いに隣接するときに生じる。一方、非連続ＣＡは、（図１８に示すように）マルチプルの隣接していない利用可能なコンポーネントキャリアが周波数帯域に沿って分離されたときに生じる。非連続ＣＡと連続ＣＡの両方は、ＬＴＥアドバンストＵＥｓの単一ユニットにサービスするためにマルチプルのコンポーネントキャリアをアグリゲートし得る。様々な例では、（キャリアアグリゲーションとも呼ばれる）マルチキャリアシステムにおいて動作しているＵＥは、「１次キャリア」と呼ばれることがある同じキャリア上で、制御機能およびフィードバック機能など、マルチプルのキャリアのいくつかの機能をアグリゲートするように構成される。サポートのために１次キャリアに依存する残りのキャリアは、「関連する２次キャリア」と呼ばれることがある。たとえば、ＵＥは、随意の専用チャネル（ＤＣＨ：dedicated channel）、スケジュールされない許可、物理アップリンク制御チャネル（ＰＵＣＣＨ）、および／または物理ダウンリンク制御チャネル（ＰＤＣＣＨ）によって提供される制御機能をアグリゲートし得る。
【００７２】
[0089]ＨＡＲＱプロセスは、ソフトバッファサイズを管理するために使用され得る。概して、送信がＨＡＲＱプロセスのために行われるサブフレームごとに、１つまたは２つの（ダウンリンク空間多重化の場合）トランスポートブロック（ＴＢ）および関連するＨＡＲＱ情報とがＨＡＲＱエンティティから受信され得る。送信が新しい送信であるのかまたは古い送信であるかに応じて、ＵＥ１２は、受信されたＴＢをソフトバッファ中で古い対数尤度比（ＬＬＲ）と組み合わせ得るか記憶し得る。復号結果に応じて、ＵＥはＡＣＫまたはＮＡＣＫを送る。ＦＤＤとＴＤＤとの両方について、ＵＥが２つ以上のサービングセルで構成される場合、各サービングセルについて、少なくともＫMIMO・ｍｉｎ（ＭDL_HARQ，Ｍlimit）トランスポートブロックについて、ここで、ＭDL_HARQは、ＤＬ  ＨＡＲＱプロセスの最大数である、トランスポートブロックのコードブロックの復号失敗時に、ＵＥは、少なくとも
【数１】
0006640327.tif 000003
の範囲に対応する受信されたソフトチャネルビットを記憶し、ここで、
【数２】
0006640327.tif 000004
ＫMIMOは、ＭＩＭＯランクである。Ｍlimitは、トランスポートブロック単位のソフトバッファサイズである。Ｎ’softは、ＵＥカテゴリーによるソフトチャネルビットの総数である。
【数３】
0006640327.tif 000005
は、構成されたサービングセルの数である。Ｎcbは、ｒ番目のコードブロックのためのビット数単位のソフトバッファサイズである。ｗkは、受信されたソフトチャネルビットに対応する。言い換えれば、ソフトバッファは、すべての構成されたサービングセルの間で等しく分割され得、サービングセルごとに、ソフトバッファ管理は、最高８つのＤＬ  ＨＡＲＱプロセスに基づく。８つ以上のＨＡＲＱプロセスに潜在的なリソース衝突がある。フレキシブルな複信は、ダウンリンクサブフレームの数を増加させるので、およびＴＤＤは、ＦＤＤよりも多くのＨＡＲＱプロセスを使用し得るので、フレキシブルな複信は、ＦＤＤダウンリンク帯域と一時的なＴＤＤ帯域との両方に８つ以上のＨＡＲＱプロセスを使用し得る。たとえば、ＵＥ１２が、フレキシブルな複信と空間多重化とで構成される場合、セルごとのＤＬ  ＨＡＲＱプロセスの最大数（ＤＬ＋ＤＬ送信のためのＵＬ）は、最大３１個になり得、これは、ソフトバッファに負担をかけ得る。
【００７３】
[0090]一態様では、フレキシブルな複信においてソフトバッファを管理するためにキャリアアグリゲーション技法が使用され得る。キャリアアグリゲーションでは、ソフトバッファリソースは、コンポーネントキャリアの間で均等に分割され得る。概して、フレキシブルな複信の場合、フレキシブルな複信で構成されたＦＤＤ帯域が別のキャリアとまだアグリゲートされていない場合、ＦＤＤダウンリンク帯域と一時的なＴＤＤ帯域とは、キャリアアグリゲーションを使用した別個のセルまたはキャリアとして扱われ得る。フレキシブルな複信で構成されたＦＤＤ帯域が別のキャリアとすでにアグリゲートされている場合、ＦＤＤダウンリンク帯域と一時的なＴＤＤ帯域とは、ソフトバッファ管理のために単一のセルとして扱われ得る。
【００７４】
[0091]図８を参照すると、一態様では、方法８００は、ＵＥ１２によって実行され得る。したがって、方法８００は、上記で説明した方法５００と同時に実行され得る。たとえば、一動作態様では、ＵＥ１２（図１）は、ソフトバッファ管理のための方法８００の一態様を実行しながら、同時に、ダウンリンクＨＡＲＱのための方法５００を実行し得る。説明を簡単にするために、方法は一連の行為として図示および説明するが、いくつかの行為は、１つまたは複数の態様によれば、本明細書で図示および説明する順序とは異なる順序で、および／または他の行為と同時に行われ得るので、方法（およびそれに関係するさらなる方法）は行為の順序によって限定されないことを理解し、諒解されたい。たとえば、方法は、状態図など、一連の相互に関係する状態またはイベントとして代替的に表現され得ることを諒解されたい。その上、本明細書で説明する１つまたは複数の特徴による方法を実装するために、図示のすべての行為が必要とされるとは限らない。
【００７５】
[0092]ブロック８０２において、方法８００は、ＦＤＤ帯域のペアが少なくとも１つの第２の帯域とアグリゲートされるのかどうかを決定することを含み得る。ＦＤＤ帯域のペアが少なくとも１つの第２の帯域とアグリゲートされない場合、方法８００は、ブロック８０４に進み得る。ＦＤＤ帯域のペアが少なくとも１つの第２の帯域とアグリゲートされる場合、方法８００は、ブロック８１０に進み得る。
【００７６】
[0093]ブロック８０４において、方法８００は、ＦＤＤ帯域のペアが少なくとも第２の帯域とアグリゲートされないと決定することに基づいて別個のセルに関連付けられているものとしてＦＤＤダウンリンク帯域と一時的なＴＤＤ帯域とを識別することを含み得る。一態様では、たとえば、モデム１０８は、ＦＤＤ帯域のペアが少なくとも第２の帯域とアグリゲートされないと決定することに基づいて別個のセルに関連付けられているものとしてＦＤＤダウンリンク帯域と一時的なＴＤＤ帯域とを識別し得る。
【００７７】
[0094]ブロック８０６において、方法８００は、ＦＤＤダウンリンク帯域と一時的なＴＤＤ帯域との間でソフトチャネルビットの総数を等しく分割することによってＦＤＤダウンリンク帯域と一時的なＴＤＤ帯域との各々にソフトバッファを割り振ることを含み得る。一態様では、たとえば、ソフトバッファ構成要素４８は、ＦＤＤダウンリンク帯域と一時的なＴＤＤ帯域との間でソフトチャネルビットの総数を等しく分割することによってＦＤＤダウンリンク帯域と一時的なＴＤＤ帯域との各々にソフトバッファを割り振り得る。ソフトチャネルビットの総数は、たとえば、ソフトバッファのための物理メモリサイズまたはソフトバッファのために割り振られたビット数に基づき得る。
【００７８】
[0095]ブロック８０８において、方法８００は、基準構成に基づいてＦＤＤダウンリンク帯域と一時的なＴＤＤ帯域との両方のためのＨＡＲＱプロセスの最大数を決定することを含み得、ここにおいて、ＨＡＲＱプロセスの最大数は、各別個のセルにおけるソフトバッファ管理のために使用される。一態様では、たとえば、ソフトバッファ構成要素４８は、基準構成に基づいた一時的なＴＤＤ帯域２４とＦＤＤダウンリンク帯域２２との両方のためのＨＡＲＱプロセスの最大数を決定し得る。
【００７９】
[0096]ブロック８１０において、方法８００は、ＦＤＤ帯域のペアが少なくとも１つの第２の帯域とアグリゲートされると決定したことに応答して単一のセルに関連付けられているものとしてＦＤＤダウンリンク帯域と一時的なＴＤＤ帯域とを識別することを含み得る。一態様では、たとえば、モデム１０８は、ＦＤＤ帯域のペアが少なくとも１つの第２の帯域とアグリゲートされると決定したことに応答して単一のセルに関連付けられているものとしてＦＤＤダウンリンク帯域と一時的なＴＤＤ帯域とを識別し得る。
【００８０】
[0097]ブロック８１２において、方法８００は、ＦＤＤダウンリンク帯域と一時的なＴＤＤ帯域との間で共有されるようにソフトバッファを割り振ることを含み得る。一態様では、たとえば、ソフトバッファ構成要素４８は、ＦＤＤダウンリンク帯域と一時的なＴＤＤ帯域との間で共有されるようにソフトバッファを割り振り得る。ソフトバッファは、少なくとも１つの第２の帯域に割り振られるソフトバッファと同じサイズであり得る。
【００８１】
[0098]ブロック８１４において、方法８００は、基準構成に基づいてＦＤＤダウンリンク帯域と一時的なＴＤＤ帯域との単一のセルのためのＨＡＲＱプロセスの最大数を決定することを含み得、ここにおいて、ＨＡＲＱプロセスの最大数は、ソフトバッファ管理のために使用される。一態様では、たとえば、ソフトバッファ構成要素４８は、基準構成に基づいてＦＤＤダウンリンク帯域と一時的なＴＤＤ帯域との単一のセルのためのＨＡＲＱプロセスの最大数を決定し得る。一態様では、ＨＡＲＱプロセスがＦＤＤダウンリンク帯域２２と一時的なＴＤＤ帯域２４との間で共有されるので、ＵＥ１２は、同時にではないがＦＤＤダウンリンク帯域または一時的なＴＤＤ帯域のいずれかの上でダウンリンク送信を受信し得る。
【００８２】
[0099]図９は、ＣＳＩ報告の方法の一例を示すローチャートである。一動作態様では、ＵＥ１２（図１）などのＵＥは、ＣＳＩ報告の方法９００の一態様を実行し得る。説明を簡単にするために、方法は一連の行為として図示および説明するが、いくつかの行為は、１つまたは複数の態様によれば、本明細書で図示および説明する順序とは異なる順序で、および／または他の行為と同時に行われ得るので、方法（およびそれに関係するさらなる方法）は行為の順序によって限定されないことを理解し、諒解されたい。たとえば、方法は、状態図など、一連の相互に関係する状態またはイベントとして代替的に表現され得ることを諒解されたい。その上、本明細書で説明する１つまたは複数の特徴による方法を実装するために、図示のすべての行為が必要とされるとは限らない。
【００８３】
[0100]ブロック９０２において、方法９００は、フレキシブルな複信セル（たとえば、図１中のｅＮＢ１４）のためのＣＳＩを決定することを含み得る。一態様では、たとえば、ＲＦフロントエンド１０４および／またはトランシーバ１０６は、ＣＳＩを決定し得る。ブロック９０４において、方法９００は、ＦＤＤダウンリンク帯域２２（図１）が１次セルに関連付けられるのかまたは２次セルに関連付けられるのかを決定することを含み得る。ＦＤＤダウンリンク帯域２２が１次セルに関連付けられる場合、ブロック９０６において、方法９００は、ＴＤＤ報告フォーマットに基づいて周期的ＣＳＩ報告を送信することを含み得る。たとえば、ＴＤＤ構成パラメータは、ＣＳＩ報告周期であり得る。ＦＤＤダウンリンク帯域２２が２次セルに関連付けられる場合、ブロック９０８において、方法９００は、ＴＤＤ構成またはＦＤＤ構成のいずれかであり得る１次セルのＣＳＩ報告フォーマットに基づいて周期的ＣＳＩ報告を送信し得る。ブロック９１０において、１次セル構成がＴＤＤである場合、方法９００は、１次セルのＴＤＤ構成に基づいて周期的ＣＳＩ報告を送信することを含み得る。ブロック９１２において、１次セル構成がＦＤＤである場合、方法９００は、ＦＤＤ構成パラメータに基づいて周期的ＣＳＩ報告を送信することを含み得る。たとえば、ＦＤＤ構成パラメータは、ＣＳＩ報告周期であり得、これは、ＴＤＤの場合よりもＦＤＤの場合に短くなり得る（たとえば、５ｍｓ、２ｍｓ、または１ｍｓ）。
【００８４】
[0101]図１０は、フレキシブルな複信設計を実装するための本明細書で説明したにフレキシブルな複信構成要素４０を有する１つまたは複数のＵＥｓ１００２を含むＬＴＥネットワークアーキテクチャ１０００を示す図である。ＬＴＥネットワークアーキテクチャ１０００は発展型パケットシステム（ＥＰＳ：Evolved Packet System）１０００と呼ばれることがある。ＥＰＳ１０００は、１つまたは複数のユーザ機器（ＵＥ）１００２と、発展型ＵＭＴＳ地上波無線アクセスネットワーク（Ｅ−ＵＴＲＡＮ：Evolved UMTS Terrestrial Radio Access Networkｋ）１００４と、発展型パケットコア（ＥＰＣ：Evolved Packet Core）１０１０と、事業者のインターネットプロトコル（ＩＰ）サービス１０２２とを含み得る。ＥＰＳは他のアクセスネットワークと相互接続することができるが、簡単にするために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００８５】
[0102]Ｅ−ＵＴＲＡＮは、発展型ノードＢ（ｅＮＢ）１００６と他のｅＮＢ１００８とを含み、その各々は、ｅＮＢ１４またはｅＮＢ２０（図１）の一例であり得る。ｅＮＢ１００６は、ＵＥ１００２に対してユーザプレーンプロトコル終端と制御プレーンプロトコル終端とを与える。ｅＮＢ１００６は、バックホール（たとえば、Ｘ２インターフェース）を介して他のｅＮＢ１００８に接続され得る。ｅＮＢ１００６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１００６は、ＵＥ１００２にＥＰＣ１０１０へのアクセスポイントを与える。
【００８６】
[0103]一態様では、ｅＮＢ１００６は、フレキシブルな複信構成要素１０４０を含み得、これは、ＵＥ１００２中のフレキシブルな複信構成要素４０に対応し得る。フレキシブルな複信構成要素１０４０は、ｅＮＢ側からフレキシブルな複信設計を与えるためのプロセッサによって実行可能なハードウェア、ファームウェアおよび／またはソフトウェアコードを含み、コードは、命令を備え、メモリ（たとえば、コンピュータ可読媒体中に記憶され得る。たとえば、フレキシブルな複信構成要素１０４０は、ＦＤＤアップリンク帯域を一時的なＴＤＤ帯域に変更するために再構成メッセージを送信し得る。フレキシブルな複信構成要素１０４０はまた、ＵＥ１００２によって使用されるべき基準構成を決定し得る。フレキシブルな複信構成要素１０４０はまた、ステータス肯定応答と許可とを送信および受信するための基準構成に基づいてＨＡＲＱタイミングを決定し得る。フレキシブルな複信構成要素１０４０はまた、メッセージが明確に解釈され得るようにフレキシブルな複信構成要素４０と同じルールに従ってフォーマットを決定し得る。一態様では、ｅＮＢ１００６は、フレキシブルな複信構成要素４０を置き換えるフレキシブルな複信構成要素１０４０をもつＵＥ１２に関して図１に示した方法と同様の方法で配置されたプロセッサと、モデムと、メモリと、トランシーバと、ＲＦフロントエンドと、アンテナとを含み得る。
【００８７】
[0104]ｅＮＢ１００６はＥＰＣ１０１０に接続される。ＥＰＣ１０１０は、モビリティ管理エンティティ（ＭＭＥ：Mobility Management Entity）１０１２と、ホーム加入者サーバ（ＨＳＳ）１０２０と、他のＭＭＥ１０１４と、サービングゲートウェイ１０１６と、マルチメディアブロードキャストマルチキャストサービス（ＭＢＭＳ）ゲートウェイ１０２４と、ブロードキャストマルチキャストサービスセンタ（ＢＭ−ＳＣ：Broadcast Multicast Service Center）１０２６と、パケットデータネットワーク（ＰＤＮ：Packet Data Network）ゲートウェイ１０１８とを含み得る。ＭＭＥ１０１２は、ＵＥ１００２とＥＰＣ１０１０との間のシグナリングを処理する制御ノードである。概して、ＭＭＥ１０１２はベアラおよび接続管理を行う。すべてのユーザＩＰパケットはサービングゲートウェイ１０１６を通して転送され、サービングゲートウェイ１０１６自体はＰＤＮゲートウェイ１０１８に接続される。ＰＤＮゲートウェイ１０１８はＵＥのＩＰアドレス割振りならびに他の機能を与える。ＰＤＮゲートウェイ１０１８およびＢＭ−ＳＣ１０２６は、ＩＰサービス１０２２に接続される。ＩＰサービス１０２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１０２６は、ＭＢＭＳユーザサービスプロビジョニングおよび配信のための機能を与え得る。ＢＭ−ＳＣ１０２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１０２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１００６、１００８）にＭＢＭＳトラフィックを配信するために使用され得、セッション管理（開始／停止）と、発展型ＭＢＭＳ（ｅＭＢＭＳ）関係の課金情報を収集することとを担当し得る。
【００８８】
[0105]図１１は、ＬＴＥネットワークアーキテクチャにおけるアクセスネットワーク１１００の一例を示す図である。この例では、アクセスネットワーク１１００はいくつかのセルラー領域（セル）１１０２に分割される。１つまたは複数のより低い電力クラスのｅＮＢ１１０８が、セル１１０２のうちの１つまたは複数と重なるセルラー領域１１１０を有し得る。より低い電力クラスのｅＮＢ１１０８は、フェムトセル（たとえば、ホームｅＮＢ（ＨｅＮＢ））、ピコセル、マイクロセル、またはリモートラジオヘッド（ＲＲＨ）であり得る。マクロｅＮＢ１１０４は各々、それぞれのセル１１０２に割り当てられ、セル１１０２中のすべてのＵＥｓ１１０６にＥＰＣ１０１０へのアクセスポイントを与えるように構成される。ＵＥｓ１１０６の各々は、ＵＥ１２（図１）またはＵＥ１００２（図１０）の一例であり、フレキシブルな複信構成要素４０を含み得る。マクロｅＮＢ１１０４とより低い電力クラスのｅＮＢ１１０８との各々は、ｅＮＢ１４またはｅＮＢ１００６の一例であり、フレキシブルな複信構成要素４０を含むＵＥ１１０６との通信のためのフレキシブルな複信設計のネットワーク側の態様を実装するためのフレキシブルな複信構成要素１０４０を含み得る。アクセスネットワーク１１００のこの例では集中型コントローラはないが、代替構成では集中型コントローラが使用され得る。ｅＮＢ１１０４は、無線ベアラ制御、承認制御、モビリティ制御、スケジューリング、セキュリティ、およびサービングゲートウェイ１０１６への接続性を含む、すべての無線関係機能を担当する。ｅＮＢは、１つまたは複数（たとえば、３つ）のセル（セクタとも呼ばれる）をサポートし得る。「セル」という用語は、ｅＮＢの最小カバレージエリア、および／または特定のカバレージエリアにサービスするｅＮＢサブシステムを指すことができる。さらに、「ｅＮＢ」、「基地局」、および「セル」という用語は、本明細書では互換的に使用されることがある。
【００８９】
[0106]アクセスネットワーク１１００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＤＬ上でＯＦＤＭが使用され、ＵＬ上でＳＣ−ＦＤＭＡが使用される。当業者なら以下の詳細な説明から容易に諒解するように、本明細書で提示される様々な概念は、ＬＴＥ適用例に好適である。しかしながら、これらの概念は、他の変調および多元接続技法を利用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢについては、３ＧＰＰ２団体からの文書に記載されている。採用される実際のワイヤレス通信規格および多元接続技術は、特定の適用例およびシステムに課された全体的な設計制約に依存することになる。
【００９０】
[0107]ｅＮＢ１１０４は、ＭＩＭＯ技術をサポートする複数のアンテナを有し得る。ＭＩＭＯ技術の使用により、ｅＮＢ１１０４は、空間多重化、ビームフォーミング、および送信ダイバーシティをサポートするために空間領域を活用することが可能になる。空間多重化は、異なるデータストリームを同じ周波数上で同時に送信するために使用され得る。データストリームは、データレートを増大させるために単一のＵＥｓ１１０６に送信されるか、または全体的なシステム容量を増大させるためにマルチプルのＵＥ１１０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ１１０６に到着し、これにより、ＵＥ１１０６の各々がそのＵＥ１１０６に宛てられた１つまたは複数のデータストリームを復元することが可能になる。ＵＬ上では、各ＵＥ１１０６は、空間的にプリコーディングされたデータストリームを送信し、これにより、ｅＮＢ１１０４は、空間的にプリコーディングされた各データストリームのソースを識別できるようになる。
【００９１】
[0108]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００９２】
[0109]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間することは、受信機がサブキャリアからデータを再生できるようにする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００９３】
[0110]図１２は、ＬＴＥにおけるＤＬフレーム構造の一例を示す図１２００である。フレーム（１０ｍｓ）は、等しいサイズの１０個のサブフレームに分割され得る。各サブフレームは、２つの連続するタイムスロットを含み得る。図１２は、図２、図３、および図４に示したダウンリンクサブフレームのいずれかのためのリソース割振りのさらなる詳細を与え得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含み、時間領域中に６個の連続するＯＦＤＭシンボルを含む。Ｒ１２０２、１２０４として示されるリソース要素のいくつかは、ＤＬ基準信号（ＤＬ−ＲＳ：ＤＬ  ｒｅｆｅｒｅｎｃｅ  ｓｉｇｎａｌ）を含む。ＤＬ−ＲＳは、（共通ＲＳと呼ばれることもある）セル固有ＲＳ（ＣＲＳ：Cell-specific RS）１２０２と、ＵＥ固有ＲＳ（ＵＥ−ＲＳ：UE-specific RS）１２０４とを含む。ＵＥ−ＲＳ１２０４は、対応する物理ＤＬ共有チャネル（ＰＤＳＣＨ：physical DL shared channel）がマッピングされるリソースブロック上で送信される。さらに、ＰＤＣＣＨは、サブフレームの最初の３つまたは４つのＯＦＤＭシンボル中のリソースブロックにマッピングされ、残りのリソース要素ならびにアップリンク送信のための許可を復号することについての情報を与え得る。各リソース要素によって搬送されるビット数は変調方式に依存する。したがって、ＵＥが受信するリソースブロックが多いほど、および変調方式が高いほど、ＵＥのデータレートは高くなる。
【００９４】
[0111]図１３は、ＬＴＥにおけるＵＬフレーム構造の一例を示す図１３００である。図１３は、図２、図３、および図４に示したアップリンクサブフレームのいずれかのためのリソース割振りのさらなる詳細を与え得る。ＵＬのために利用可能なリソースブロックは、データセクションおよび制御セクションに区分され得る。制御セクションは、システム帯域幅の２つのエッジにおいて形成され得、構成可能なサイズを有し得る。制御セクション中のリソースブロックは、制御情報を送信するためにＵＥｓに割り当てられ得る。データセクションは、制御セクション中に含まれないすべてのリソースブロックを含み得る。ＵＬフレーム構造によって、結果として、データセクションが隣接するサブキャリアを含むようになり、それにより、単一のＵＥに、データセクション内の隣接するサブキャリアのすべてを割り当てることができるようになる。
【００９５】
[0112]ＵＥは、ｅＮＢに制御情報を送信するために、制御セクション中のリソースブロック１３１０ａ、１３１０ｂを割り当てられ得る。ＵＥには、ｅＮＢにデータを送信するために、データセクション中のリソースブロック１３２０ａ、１３２０ｂも割り当てられ得る。ＵＥは、制御セクション中の割り当てられたリソースブロック上の物理ＵＬ制御チャネル（ＰＵＣＣＨ）中で制御情報を送信し得る。たとえば、ＰＵＣＣＨは、ＨＡＲＱ肯定応答ステータスメッセージを含み得る。ＵＥは、データセクション中の割り当てられたリソースブロック上の物理ＵＬ共有チャネル（ＰＵＳＣＨ）中でデータまたはデータと制御情報の両方を送信し得る。ＵＬ送信は、サブフレームの両方のスロットにわたり得、周波数上でホッピングし得る。
【００９６】
[0113]初期システムアクセスを実行し、物理ランダムアクセスチャネル（ＰＲＡＣＨ：physical random access channel）１３３０中でＵＬ同期を達成するために、リソースブロックのセットが使用され得る。ＰＲＡＣＨ１３３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨの場合、周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００９７】
[0114]図１４は、ＬＴＥにおけるユーザプレーンおよび制御プレーンのための無線プロトコルアーキテクチャの一例を示す図１４００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤは本明細書では物理レイヤ１４０６と呼ばれる。レイヤ２（Ｌ２レイヤ）１４０８は、物理レイヤ１４０６の上にあり、物理レイヤ１４０６を介したＵＥとｅＮＢとの間のリンクを担当する。上記で説明したフレキシブルな複信設計は、物理レイヤ１４０６に主に影響を及ぼし得る。（たとえば、ＦＤＤアップリンク帯域と一時的なＴＤＤダウンリンク帯域との間で遷移するためのシグナリングまたは基準フレーム構成を変更するためのシグナリングは、ＲＲＣサブレイヤ１４１６において実行され得る。
【００９８】
[0115]ユーザプレーンでは、Ｌ２レイヤ１４０８は、ネットワーク側のｅＮＢにおいて終端される、媒体アクセス制御（ＭＡＣ）サブレイヤ１４１０と、無線リンク制御（ＲＬＣ）サブレイヤ１４１２と、パケットデータコンバージェンスプロトコル（ＰＤＣＰ）１４１４サブレイヤとを含む。図示していないが、ＵＥは、ネットワーク側のＰＤＮゲートウェイ１４１８において終端されるネットワークレイヤ（たとえば、ＩＰレイヤ）と、接続の他端（たとえば、遠端ＵＥ、サーバなど）において終端されるアプリケーションレイヤとを含めて、Ｌ２レイヤ１４０８の上にいくつかの上位レイヤを有し得る。
【００９９】
[0116]ＰＤＣＰサブレイヤ１４１４は、異なる無線ベアラと論理チャネルとの間の多重化を行う。ＰＤＣＰサブレイヤ１４１４はまた、無線送信オーバーヘッドを低減するための上位レイヤデータパケットのヘッダ圧縮と、データパケットを暗号化することによるセキュリティと、ＵＥｓに対するｅＮＢ間のハンドオーバサポートとを与える。ＲＬＣサブレイヤ１４１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ１４１０は、論理チャネルとトランスポートチャネルとの間の多重化を行う。ＭＡＣサブレイヤ１４１０はまた、ＵＥｓの間で１つのセル中の様々な無線リソース（たとえば、リソースブロック）を割り振ることを担当する。ＭＡＣサブレイヤ１４１０は、ＨＡＲＱ演算も担当する。
【０１００】
[0117]制御プレーンでは、ＵＥおよびｅＮＢのための無線プロトコルアーキテクチャは、制御プレーンのためのヘッダ圧縮機能がないことを除いて、物理レイヤ１４０６およびＬ２レイヤ１４０８について実質的に同じである。制御プレーンはまた、レイヤ３（Ｌ３レイヤ）の中に無線リソース制御（ＲＲＣ）サブレイヤ１４１６を含む。ＲＲＣサブレイヤ１４１６は、無線リソース（たとえば、無線ベアラ）を取得することと、ｅＮＢとＵＥとの間のＲＲＣシグナリングを使用して下位レイヤを構成することとを担当する。たとえば、ＲＲＣサブレイヤ１４１６は、ＴＤＤを一時的に使用するようにＦＤＤアップリンク帯域を再構成するためのシグナリングを与え得、またその逆も行い得る。
【０１０１】
[0118]図１５は、アクセスネットワーク中でＵＥ１５５０と通信しているｅＮＢ１５１０のブロック図である。ＤＬでは、コアネットワークからの上位レイヤパケットが、コントローラ／プロセッサ１５７５に与えられる。コントローラ／プロセッサ１５７５はＬ２レイヤの機能を実装する。ＤＬでは、コントローラ／プロセッサ１５７５は、ヘッダ圧縮と、暗号化と、パケットのセグメント化および並べ替えと、論理チャネルとトランスポートチャネルとの間の多重化と、様々な優先度メトリックに基づくＵＥ１５５０への無線リソース割振りとを行う。コントローラ／プロセッサ１５７５はまた、ＨＡＲＱ演算と、紛失パケットの再送信と、ＵＥ１５５０へのシグナリングとを担当する。一態様では、フレキシブルな複信構成要素１０４０は、ｅＮＢ側のフレキシブルな複信を実装するためのコントローラ／プロセッサと通信し得る。
【０１０２】
[0119]送信（ＴＸ）プロセッサ１５１６は、Ｌ１レイヤ（すなわち、物理レイヤ）のための様々な信号処理機能を実装する。信号処理機能は、ＵＥ１５５０における前方誤り訂正（ＦＥＣ）を容易にするためのコーディングおよびインターリービングと、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを含む。次いで、コーディングおよび変調されたシンボルが、並列ストリームに分割される。各ストリームは、その後、ＯＦＤＭサブキャリアにマッピングされ、時間領域および／または周波数領域において基準信号（たとえば、パイロット）と多重化され、その後、時間領域ＯＦＤＭシンボルストリームを搬送する物理チャネルを生成するために、逆高速フーリエ変換（ＩＦＦＴ）を用いて互いに合成される。ＯＦＤＭストリームは、マルチプルの空間ストリームを生成するために空間的にプリコーディングされる。チャネル推定器１５７４からのチャネル推定値は、コーディングおよび変調方式を決定するために、ならびに空間処理のために使用され得る。チャネル推定値は、ＵＥ１５５０によって送信される基準信号および／またはチャネル状態フィードバックから導出され得る。各空間ストリームは、次いで、別個の送信機１５１８ＴＸを介して異なるアンテナ１５２０に与えられ得る。各送信機１５１８ＴＸは、送信のためにそれぞれの空間ストリームでＲＦキャリアを変調し得る。
【０１０３】
[0120]ＵＥ１５５０において、各受信機１５５４ＲＸが、それのそれぞれのアンテナ１５５２を通して信号を受信する。各受信機１５５４ＲＸは、ＲＦキャリア上に変調された情報を復元し、受信（ＲＸ）プロセッサ１５５６に情報を与える。ＲＸプロセッサ１５５６はＬ１レイヤの様々な信号処理機能を実装する。ＲＸプロセッサ１５５６は、ＵＥ１５５０に宛てられた任意の空間ストリームを復元するために、情報に対して空間処理を実行し得る。マルチプルの空間ストリームがＵＥ１５５０に宛てられた場合、それらの空間ストリームはＲＸプロセッサ１５５６によって単一のＯＦＤＭシンボルストリームに合成され得る。ＲＸプロセッサ１５５６は、次いで、高速フーリエ変換（ＦＦＴ：Ｆａｓｔ  Ｆｏｕｒｉｅｒ  Ｔｒａｎｓｆｏｒｍ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ１５１０によって送信される、可能性が最も高い信号コンスタレーションポイントを決定することによって復元され、復調される。これらの軟決定は、チャネル推定器１５５８によって算出されるチャネル推定値に基づき得る。軟決定は、その後、物理チャネル上でｅＮＢ１５１０によって本来送信されたデータ信号と制御信号とを再生するために復号され、デインターリーブされる。データ信号と制御信号とは、その後、コントローラ／プロセッサ１５５９に与えられる。
【０１０４】
[0121]コントローラ／プロセッサ１５５９はＬ２レイヤを実現する。コントローラ／プロセッサは、プログラムコードとデータとを記憶するメモリ１５６０に関連付けられ得る。メモリ１５６０はコンピュータ可読媒体と呼ばれることがある。ＵＬにおいて、コントローラ／プロセッサ１５５９は、コアネットワークからの上位レイヤパケットを復元するために、トランスポートチャネルと論理チャネルとの間の逆多重化と、パケットリアセンブリと、暗号解読（decipher）と、ヘッダ解凍（decompression）と、制御信号処理とを提供する。上位レイヤパケットは、その後、Ｌ２レイヤの上方のすべてのプロトコルレイヤを表す、データシンク１５６２に与えられる。また、様々な制御信号がＬ３処理のためにデータシンク１５６２に与えられ得る。コントローラ／プロセッサ１５５９はまた、ＨＡＲＱ動作をサポートするためにＡＣＫ／ＮＡＣＫプロトコルを使用する誤り検出を担当する。一態様では、ＵＥ１５５０は、本明細書で説明するようにフレキシブルな複信設計を実装するためのフレキシブルな複信構成要素４０をさらに含み得る。フレキシブルな複信構成要素４０は、たとえば、ＡＣＫ／ＮＡＣＫプロトコルをサポートするためにＨＡＲＱタイミングをコントローラ／プロセッサ１５５９に与え得る。フレキシブルな複信構成要素４０はまた、ソフトバッファを管理するようにＲＸプロセッサ１５５６を制御し得る。
【０１０５】
[0122]ＵＬでは、データソース１５６７は、コントローラ／プロセッサ１５５９に上位レイヤパケットを与えるために使用される。データソース１５６７はＬ２レイヤの上のすべてのプロトコルレイヤを表す。ｅＮＢ１５１０によるＤＬ送信に関して説明した機能と同様に、コントローラ／プロセッサ１５５９は、ヘッダ圧縮と、暗号化と、パケットのセグメンテーションおよび並べ替えと、ｅＮＢ１５１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ１５５９はまた、ＨＡＲＱ動作と、紛失パケットの再送信と、ｅＮＢ１５１０へのシグナリングとを担当する。フレキシブルな複信構成要素４０は、アップリンク通信のためのＨＡＲＱタイミングとフォーマットとを与え得る。
【０１０６】
[0123]ｅＮＢ１５１０によって送信される基準信号またはフィードバックからの、チャネル推定器１５５８によって導出されるチャネル推定値は、適切なコーディングおよび変調方式を選択することと、空間処理を容易にすることとを行うために、ＴＸプロセッサ１５６８によって使用され得る。ＴＸプロセッサ１５６８によって生成される空間ストリームは、別個の送信機１５５４ＴＸを介して異なるアンテナ１５５２に与えられ得る。各送信機１５５４ＴＸは、送信のためにそれぞれの空間ストリームでＲＦキャリアを変調し得る。
【０１０７】
[0124]ＵＬ送信は、ＵＥ１５５０における受信機機能に関して説明した様式と同様の様式でｅＮＢ１５１０において処理される。各受信機１５１８ＲＸが、それのそれぞれのアンテナ１５２０を通して信号を受信する。各受信機１５１８ＲＸは、ＲＦキャリア上に変調された情報を復元し、ＲＸプロセッサ１５７０に情報を与える。ＲＸプロセッサ１５７０はＬ１レイヤを実現することができる。
【０１０８】
[0125]コントローラ／プロセッサ１５７５はＬ２レイヤを実現する。コントローラ／プロセッサ１５７５は、プログラムコードとデータとを記憶するメモリ１５７６に関連付けられ得る。メモリ１５７６はコンピュータ可読媒体と呼ばれることがある。ＵＬにおいて、コントローラ／プロセッサ１５７５は、ＵＥ１５５０からの上位レイヤパケットを再生するために、トランスポートチャネルと論理チャネルとの間の逆多重化と、パケットリアセンブリと、暗号解読と、ヘッダ解凍と、制御信号処理とを提供する。コントローラ／プロセッサ１５７５からの上位レイヤパケットは、コアネットワークに提供され得る。コントローラ／プロセッサ１５７５は、ＨＡＲＱ動作をサポートするためにＡＣＫおよび／またはＮＡＣＫプロトコルを使用する誤り検出も担当する。
【０１０９】
[0126]図１６は、本明細書で説明する一態様に従って構成された処理システム１６１４を利用する装置１６００のための例示的なハードウェア実装形態を概念的に示すブロック図である。処理システム１６１４は、フレキシブルな複信構成要素４０を含むＵＥ１２（図１）を実装するために使用され得る。別の態様では、処理システム１６１４は、ｅＮＢ１６（図１）またはｅＮＢ１００６（図１０）を実装するために使用され得、その各々は、フレキシブルな複信構成要素１０４０を含み得る。処理システム１６１４はフレキシブルな複信構成要素１６４０を含む。一例では、装置１６００は、様々な図において説明するＵＥｓおよび／またはｅノードＢのうちの１つと同じまたは同様であり得るか、あるいはそれに含まれ得る。そのような例では、フレキシブルな複信構成要素１６４０は、たとえば、フレキシブルな複信構成要素４０またはフレキシブルな複信構成要素１０４０に対応し得る。この例では、処理システム１６１４は、バス１６０２によって概略的に表されるバスアーキテクチャを用いて実装され得る。バス１６０２は、処理システム１６１４の特定の適用例および全体的な設計制約に応じて、任意の数の相互接続バスおよびブリッジを含み得る。バス１６０２は、プロセッサ１６０４によって概略的に表される１つまたは複数のプロセッサ（たとえば、中央処理ユニット（ＣＰＵ）、マイクロコントローラ、特定用途向け集積回路（ＡＳＩＣ）、フィールドプログラマブルゲートアレイ（ＦＰＧＡ））、およびコンピュータ可読媒体１６０６によって概略的に表されるコンピュータ可読媒体を含む様々な回路を互いにリンクする。バス１６０２はまた、タイミングソース、周辺機器、電圧調整器、および電力管理回路など、様々な他の回路をリンクし得るが、これらの回路は当技術分野においてよく知られており、したがって、これ以上は説明しない。バスインターフェース１６０８は、バス１６０２と、信号を受信または送信するために１つまたは複数のアンテナ１６２０に接続されるトランシーバ１６１０との間にインターフェースを設ける。トランシーバ１６１０および１つまたは複数のアンテナ１６２０は、送信媒体を介して（たとえば、オーバージエアで）様々な他の装置と通信するための機構を提供する。装置の性質に応じて、ユーザインターフェース（ＵＩ）１６１２（たとえば、キーパッド、ディスプレイ、スピーカー、マイクロフォン、ジョイスティック）も与えられ得る。
【０１１０】
[0127]プロセッサ１６０４は、バス１６０２を管理することと、コンピュータ可読媒体１６０６に記憶されたソフトウェアの実行を含む一般的な処理とを担当する。ソフトウェアは、プロセッサ１６０４によって実行されたとき、処理システム１６１４に、特定の装置のための本明細書で説明する様々な機能を実行させる。コンピュータ可読媒体１６０６はまた、ソフトウェアを実行するときにプロセッサ１６０４によって操作されるデータを記憶するために使用され得る。上記で説明したフレキシブルな複信構成要素１６４０は、プロセッサ１６０４によって、またはコンピュータ可読媒体１６０６によって、またはプロセッサ１６０４とコンピュータ可読媒体１６０６の任意の組合せによって全体的または部分的に実装され得る。
【０１１１】
[0128]開示したプロセス／フローチャートにおけるブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わされるかまたは省略され得る。添付の方法クレームは、様々なブロックの要素を例示的な順序で提示したものであり、提示された特定の順序または階層に限定されるものではない。
【０１１２】
[0129]以上の説明は、当業者が本明細書で説明した様々な態様を実施することができるようにするために提供されたものである。これらの態様に対する様々な修正は当業者には容易に明らかであり、本明細書において規定された一般的原理は他の態様に適用され得る。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつかの」という語は「１つまたは複数の」を表す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含むことができる。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣとすることができ、任意のそのような組合せは、Ａ、Ｂ、またはＣのうちの１つまたは複数のメンバを含むことができる。本開示全体にわたって説明する種々の態様の要素に対するすべての構造的および機能的均等物は、当業者には既知であるか、または後に既知になり、参照により本明細書に明確に組み込まれ、特許請求の範囲によって包含されることを意図する。さらに、本明細書において開示するいかなることも、そのような開示が特許請求の範囲に明示的に記載されているか否かにかかわらず、公に供するものではない。いかなるクレーム要素も、その要素が「ための手段」という句を使用して明確に列挙されていない限り、ミーンズプラスファンクションとして解釈されるべきではない。
以下に本願の出願当初の特許請求の範囲に記載された発明を付記する。
［Ｃ１］
ワイヤレス通信の方法であって、
一時的な時分割複信（ＴＤＤ）帯域への周波数分割複信（ＦＤＤ）アップリンク帯域の変更を示す再構成メッセージを受信することと、および
ＦＤＤダウンリンク帯域と前記一時的なＴＤＤ帯域とを含むＦＤＤ帯域のペアのための基準構成を決定することと、前記基準構成が、ＦＤＤ帯域の前記ペアに関連するサブフレームのパターンを示す、
を備える、方法。
［Ｃ２］
前記基準構成に基づいて前記ＦＤＤダウンリンク帯域のためのハイブリッド自動再送要求（ＨＡＲＱ）タイミングを決定することと、
前記ＨＡＲＱタイミングに基づいて前記ＦＤＤダウンリンク帯域上で受信された送信に応答して前記一時的なＴＤＤ帯域上で肯定応答ステータス信号を送信することと、ここにおいて、前記肯定応答ステータス信号が、肯定応答（ＡＣＫ）信号または否定応答（ＮＡＣＫ）である、
をさらに備える、Ｃ１に記載の方法。
［Ｃ３］
前記ＨＡＲＱタイミングを決定することが、前記基準構成に基づいて前記肯定応答ステータス信号を送信すべき前記一時的なＴＤＤ帯域のアップリンクサブフレームを決定することを備える、Ｃ２に記載の方法。
［Ｃ４］
ＦＤＤ帯域の前記ペアがアグリゲートされ（aggregated）、前記ＦＤＤダウンリンク帯域が１次セルに関連付けられる、Ｃ３に記載の方法。
［Ｃ５］
前記一時的なＴＤＤ帯域のダウンリンクサブフレーム上で許可を受信することと、前記許可が、前記一時的なＴＤＤ帯域上にアップリンク送信をスケジュールする、および
ＦＤＤアップリンクＨＡＲＱタイミングに基づいて前記アップリンク送信のためのアップリンクサブフレームを決定することと
をさらに備える、Ｃ１に記載の方法。
［Ｃ６］
前記一時的なＴＤＤ帯域のダウンリンクサブフレーム上で許可を受信することと、前記許可が、前記一時的なＴＤＤ帯域上にアップリンク送信をスケジュールする、および
前記基準構成に基づいて前記アップリンク送信のためのアップリンクサブフレームを決定することと
をさらに備える、Ｃ１に記載の方法。
［Ｃ７］
前記許可中に含まれる３ビットのＨＡＲＱプロセス番号に基づいて前記アップリンク送信のためのアップリンクＨＡＲＱプロセス番号を決定すること
をさらに備える、Ｃ６に記載の方法。
［Ｃ８］
ＦＤＤ帯域の前記ペアが、少なくとも１つの第２の帯域とアグリゲートされないと決定することと、
ＦＤＤ帯域の前記ペアが少なくとも第２の帯域とアグリゲートされないと前記決定することに基づいて別個のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間でソフトチャネルビットの総数を等しく分割することによって前記ＦＤＤダウンリンク帯域と前記一時的なＴＤＤ帯域との各々にソフトバッファを割り振ることと、および
前記基準構成に基づいて前記ＦＤＤダウンリンク帯域と前記一時的なＴＤＤ帯域との各々のためのＨＡＲＱプロセスの最大数を決定することと、ここにおいて、ＨＡＲＱプロセスの前記最大数が、各別個のセルにおけるソフトバッファ管理のために使用される、
をさらに備える、Ｃ１に記載の方法。
［Ｃ９］
ＦＤＤ帯域の前記ペアが、少なくとも１つの第２の帯域とアグリゲートされると決定することと、
ＦＤＤ帯域の前記ペアが前記少なくとも１つの第２の帯域とアグリゲートされると決定したことに応答して単一のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間で共有されるようにソフトバッファを割り振ることと、および
前記基準構成に基づいて前記ＦＤＤダウンリンク帯域と前記一時的なＴＤＤ帯域との前記単一のセルのためのＨＡＲＱプロセスの最大数を決定することと、ここにおいて、ＨＡＲＱプロセスの前記最大数が、ソフトバッファ管理のために使用される、
をさらに備える、Ｃ１に記載の方法。
［Ｃ１０］
同時にではないが前記ＦＤＤダウンリンク帯域または前記一時的なＴＤＤ帯域のいずれかの上でダウンリンク送信を受信すること
をさらに備える、Ｃ９に記載の方法。
［Ｃ１１］
物理ダウンリンク制御チャネル（ＰＤＣＣＨ）を受信するために使用される帯域と前記ＰＤＣＣＨを受信するために使用される探索空間とに基づいて前記一時的なＴＤＤ帯域のアップリンクサブフレームのための物理アップリンク制御チャネル（ＰＵＣＣＨ）リソースマッピングと、ＨＡＲＱタイミングと、ダウンリンク制御情報（ＤＣＩ）フォーマットとを決定すること
をさらに備える、Ｃ１に記載の方法。
［Ｃ１２］
前記決定することが、共通探索空間中に前記ＦＤＤダウンリンク帯域上で受信される前記ＰＤＣＣＨに応答してＦＤＤフォーマットに基づいて前記ＰＵＣＣＨリソースマッピングと、前記ＨＡＲＱタイミングと、前記ＤＣＩフォーマットとを決定することを備える、Ｃ１１に記載の方法。
［Ｃ１３］
前記決定することが、前記一時的なＴＤＤ帯域上でまたはユーザ機器（ＵＥ）固有の探索空間中で受信される前記ＰＤＣＣＨに応答して前記基準構成に適用可能なＴＤＤフォーマットに基づいて前記ＰＵＣＣＨリソースマッピングと、前記ＨＡＲＱタイミングと、前記ダウンリンク制御情報（ＤＣＩ）フォーマットとを決定することを備える、Ｃ１１に記載の方法。
［Ｃ１４］
物理ダウンリンク制御チャネル（ＰＤＣＣＨ）を受信するために使用されるダウンリンクサブフレームと前記基準構成とに基づいて前記一時的なＴＤＤ帯域のアップリンクサブフレームのためのＰＵＣＣＨリソースマッピングと、ＨＡＲＱタイミングと、ＤＣＩフォーマットとを決定すること
をさらに備える、Ｃ１に記載の方法。
［Ｃ１５］
前記ダウンリンクサブフレームが、前記基準構成に基づいて前記ＵＬサブフレームの前に固定数のサブフレーム、サブフレームインデックスを有し、ＦＤＤフォーマッティングが、前記ＤＣＩフォーマットと、前記ＨＡＲＱタイミングと、前記ＰＵＣＣＨリソースマッピングとのために使用される、Ｃ１４に記載の方法。
［Ｃ１６］
前記ダウンリンクサブフレームが、前記基準構成に基づいて前記ＵＬサブフレームの前に固定数のサブフレーム、サブフレームインデックスを有さず、ＴＤＤフォーマッティングが、前記ＤＣＩフォーマットと、前記ＨＡＲＱタイミングと、前記ＰＵＣＣＨリソースマッピングとのために使用される、Ｃ１４に記載の方法。
［Ｃ１７］
ＴＤＤ報告フォーマットに基づいて前記一時的なＴＤＤ帯域の特殊サブフレーム（special sub-frame）中でアップリンクサウンディング基準信号（ＳＲＳ）を送信すること、ここにおいて、ＳＲＳ送信のための電力制御とアップリンクタイミングアドバンス制御とがＦＤＤフォーマットに基づく、
をさらに備える、Ｃ１に記載の方法。
［Ｃ１８］
前記ＦＤＤダウンリンク帯域が１次セルに関連付けられるのかまたは２次セルに関連付けられるのかを決定することと、
前記ＦＤＤダウンリンク帯域が前記１次セルに関連付けられるのかまたは前記２次セルに関連付けられるのかに基づいて周期的（periodic）チャネル状態情報（ＣＳＩ）報告フォーマットを決定することと
をさらに備える、Ｃ１に記載の方法。
［Ｃ１９］
前記ＦＤＤダウンリンク帯域が前記１次セルに関連付けられると決定したことに応答してＴＤＤ報告フォーマットに基づいて周期的ＣＳＩ報告を送信すること
をさらに備える、Ｃ１８に記載の方法。
［Ｃ２０］
前記ＦＤＤダウンリンク帯域が前記２次セルに関連付けられると決定したことに応答して前記１次セルのＣＳＩ報告フォーマットに基づいて周期的ＣＳＩ報告を送信すること  をさらに備える、Ｃ１８に記載の方法。
［Ｃ２１］
ワイヤレス通信のための装置であって、
ダウンリンクチャネルのサブフレームを受信するように構成されたトランシーバと、  メモリと、および
少なくとも１つのバスを介して前記トランシーバおよび前記メモリに通信可能に結合され、
一時的な時分割複信（ＴＤＤ）帯域への周波数分割複信（ＦＤＤ）アップリンク帯域の変更を示す再構成メッセージを受信することと、および
ＦＤＤダウンリンク帯域と前記一時的なＴＤＤ帯域とを含むＦＤＤ帯域のペアのための基準構成を決定することと、前記基準構成が、ＦＤＤ帯域の前記ペアに関連するサブフレームのパターンを示す、
を行うように構成された少なくとも１つのプロセッサと
を備える、装置。
［Ｃ２２］
前記少なくとも１つのプロセッサが、
前記基準構成に基づいて前記ＦＤＤダウンリンク帯域のためのハイブリッド自動再送要求（ＨＡＲＱ）タイミングを決定することと、および
前記ＨＡＲＱタイミングに基づいて前記ＦＤＤダウンリンク帯域上で受信された送信に応答して前記一時的なＴＤＤ帯域上で肯定応答ステータス信号を送信することと、ここにおいて、前記肯定応答ステータス信号が、肯定応答（ＡＣＫ）信号または否定応答（ＮＡＣＫ）である、
を行うように構成された、Ｃ２１に記載の装置。
［Ｃ２３］
前記少なくとも１つのプロセッサが、
前記一時的なＴＤＤ帯域のダウンリンクサブフレーム上で許可を受信することと、前記許可が、前記一時的なＴＤＤ帯域上にアップリンク送信をスケジュールする、および
ＦＤＤアップリンクＨＡＲＱタイミングに基づいて前記アップリンク送信のためのアップリンクサブフレームを決定することと
を行うように構成された、Ｃ２１に記載の装置。
［Ｃ２４］
前記少なくとも１つのプロセッサが、
前記一時的なＴＤＤ帯域のダウンリンクサブフレーム上で許可を受信することと、前記許可が、前記一時的なＴＤＤ帯域上にアップリンク送信をスケジュールする、および
前記基準構成に基づいて前記アップリンク送信のためのアップリンクサブフレームを決定することと
を行うように構成された、Ｃ２１に記載の装置。
［Ｃ２５］
前記少なくとも１つのプロセッサが、
ＦＤＤ帯域の前記ペアが、少なくとも１つの第２の帯域とアグリゲートされないと決定することと、
ＦＤＤ帯域の前記ペアが少なくとも第２の帯域とアグリゲートされないと前記決定することに基づいて別個のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間でソフトチャネルビットの総数を等しく分割することによって前記ＦＤＤダウンリンク帯域と前記一時的なＴＤＤ帯域との各々にソフトバッファを割り振ることと、
前記基準構成に基づいて前記ＦＤＤダウンリンク帯域と前記一時的なＴＤＤ帯域との各々のためのＨＡＲＱプロセスの最大数を決定することと、ここにおいて、ＨＡＲＱプロセスの前記最大数が、各別個のセルにおけるソフトバッファ管理のために使用される、
を行うように構成された、Ｃ２１に記載の装置。
［Ｃ２６］
前記少なくとも１つのプロセッサが、
ＦＤＤ帯域の前記ペアが、少なくとも１つの第２の帯域とアグリゲートされると決定することと、
ＦＤＤ帯域の前記ペアが前記少なくとも１つの第２の帯域とアグリゲートされると決定したことに応答して単一のセルに関連付けられているものとして前記ＦＤＤダウンリンク帯域と前記一時的なＴＤＤ帯域とを識別することと、
前記ＦＤＤダウンリンク帯域と前記一時的なＴＤＤ帯域との間で共有されるようにソフトバッファを割り振ることと、および
前記基準構成に基づいて前記ＦＤＤダウンリンク帯域と前記一時的なＴＤＤ帯域との前記単一のセルのためのＨＡＲＱプロセスの最大数を決定することと、ここにおいて、ＨＡＲＱプロセスの前記最大数が、ソフトバッファ管理のために使用される、
を行うように構成された、Ｃ２１に記載の装置。
［Ｃ２７］
前記少なくとも１つのプロセッサが、
物理ダウンリンク制御チャネル（ＰＤＣＣＨ）を受信するために使用される帯域と前記ＰＤＣＣＨを受信するために使用される探索空間とに基づいて前記一時的なＴＤＤ帯域のアップリンクサブフレームのための物理アップリンク制御チャネル（ＰＵＣＣＨ）リソースマッピングと、ＨＡＲＱタイミングと、ダウンリンク制御情報（ＤＣＩ）フォーマットとを決定すること
を行うように構成された、Ｃ２１に記載の装置。
［Ｃ２８］
前記少なくとも１つのプロセッサが、
ＴＤＤ報告フォーマットに基づいて前記一時的なＴＤＤ帯域の特殊サブフレーム中でアップリンクサウンディング基準信号（ＳＲＳ）を送信すること、ここにおいて、ＳＲＳ送信のための電力制御とアップリンクタイミングアドバンス制御とがＦＤＤフォーマットに基づく、
を行うように構成された、Ｃ２１に記載の装置。
［Ｃ２９］
ワイヤレス通信のための装置であって、
一時的な時分割複信（ＴＤＤ）帯域への周波数分割複信（ＦＤＤ）アップリンク帯域の変更を示す再構成メッセージを受信するための手段と、および
ＦＤＤダウンリンク帯域と前記一時的なＴＤＤ帯域とを含むＦＤＤ帯域のペアのための基準構成を決定するための手段と、前記基準構成が、ＦＤＤ帯域の前記ペアに関連するサブフレームのパターンを示す、
を備える、装置。
［Ｃ３０］
ワイヤレス通信のためのコンピュータ実行可能コードを記憶するコンピュータ可読媒体であって、
一時的な時分割複信（ＴＤＤ）帯域への周波数分割複信（ＦＤＤ）アップリンク帯域の変更を示す再構成メッセージを受信するためのコードと、および
ＦＤＤダウンリンク帯域と前記一時的なＴＤＤ帯域とを含むＦＤＤ帯域のペアのための基準構成を決定するためのコードと、前記基準構成が、ＦＤＤ帯域の前記ペアに関連するサブフレームのパターンを示す、
を備える、コンピュータ可読媒体。
【図１】
0006640327.tif 000006
【図２】
0006640327.tif 000007
【図３】
0006640327.tif 000008
【図４】
0006640327.tif 000009
【図５】
0006640327.tif 000010
【図６】
0006640327.tif 000011
【図７】
0006640327.tif 000012
【図８】
0006640327.tif 000013
【図９】
0006640327.tif 000014
【図１０】
0006640327.tif 000015
【図１１】
0006640327.tif 000016
【図１２】
0006640327.tif 000017
【図１３】
0006640327.tif 000018
【図１４】
0006640327.tif 000019
【図１５】
0006640327.tif 000020
【図１６】
0006640327.tif 000021
【図１７】
0006640327.tif 000022
【図１８】
0006640327.tif 000023